(57)【要約】【課題】複数の服用者の分包容器を服用時期ごとに纏めて配送容器に収容して配送先に配送する配薬作業における人為的ミスを抑制することが可能な配薬支援システムを提供すること。【解決手段】一の服用者が服用する薬品を服用時期ごとに分包する際に用いられる薬包８１に、前記服用時期及び予め定められた配送先識別情報を含む第１配薬情報を記録すると共に、予め定められた配薬グループに属する複数の服用者の前記薬包８１を同一服用時期ごとに収容する際に用いられる薬袋８２に、前記服用時期及び予め定められた配送先識別情報を含む第２配薬情報を記録し、前記薬包８１から読み取られる前記第１配薬情報の前記服用時期及び前記配送先識別情報と前記薬袋８２から読み取られる前記第２配薬情報の前記服用時期及び前記配送先識別情報とが一致するか否かを判定する。【選択図】図４
2019071135.tif 000002
【特許請求の範囲】
【請求項１】
薬品の服用時期及び服用者の情報を含む配薬データを入力可能な配薬データ入力手段と、
前記服用者が服用しなかった残薬に関する残薬情報の入力操作を受け付けると共に、前記残薬情報を出力可能な残薬情報出力手段と、
を備える配薬支援システム。
【請求項２】
前記残薬情報出力手段から出力された前記残薬情報を入力可能な残薬情報入力手段と、
前記残薬情報入力手段により入力された前記残薬情報と前記配薬データとに基づいて使用可能な残薬の情報を通知可能な残薬通知手段と、
を備える請求項１に記載の配薬支援システム。
【請求項３】
処方データに基づいて前記配薬データを出力可能な配薬データ出力手段を備える請求項１又は２に記載の配薬支援システム。
【請求項４】
前記配薬データ出力手段は、前記配薬データを予め定められた複数の服用者を含む配薬グループの単位で出力可能である、
請求項３に記載の配薬支援システム。
【請求項５】
前記配薬データ出力手段は、前記処方データのうち予め設定された一又は複数の項目を抽出して前記配薬データとして出力可能である、
請求項３又は４に記載の配薬支援システム。
【発明の詳細な説明】
【技術分野】
【０００１】
本発明は、配薬作業を支援するための配薬支援システムに関する。
【背景技術】
【０００２】
近年、服用時期ごとに薬品を分包した薬包などの分包容器を、予め定められた配薬グループに属する複数の服用者ごとに纏めて薬袋などの配送容器に収容し、その配送容器を介護老人保健施設（以下「老健施設」と称する）などの配送先に配送する運用が望まれることがある。このような運用によれば、配送先において、服用時期ごとに配送容器から同一の配薬グループに属する複数の服用者の分包容器を取り出して服用者各々に容易に投薬することが可能になる。ここで、複数の分包容器を配送容器に収容する際には、分包容器と配送容器との対応関係が正しいことを厳重にチェックする必要がある。なお、従来技術として、薬包及び薬袋に薬袋識別情報を印刷することにより、薬袋への薬包の入れ間違いを抑制する技術が知られている（特許文献１参照）。
【先行技術文献】
【特許文献】
【０００３】
【特許文献１】特開２０００−２４０８７号公報
【発明の概要】
【発明が解決しようとする課題】
【０００４】
しかしながら、前述の従来技術では、複数の服用者の薬包を服用時期ごとに纏めて薬袋に収容して配送先に配送するという配薬作業の実施が考慮されていないため、薬包及び薬袋の両方に印刷される情報に配送先及び服用時期の情報が含まれていない。
【０００５】
本発明の目的は、複数の服用者の分包容器を服用時期ごとに纏めて配送容器に収容して配送先に配送する配薬作業における人為的ミスを抑制することが可能な配薬支援システムを提供することにある。
【課題を解決するための手段】
【０００６】
本発明の一の局面に係る配薬支援システムは、第１記録手段、第２記録手段、及び判定手段を備える。前記第１記録手段は、一の服用者が服用する薬品を服用時期ごとに分包する際に用いられる分包容器又は前記分包容器に付される第１記録媒体に、前記服用時期及び予め定められた配送先識別情報を含む第１配薬情報を記録する。前記第２記録手段は、予め定められた配薬グループに属する複数の服用者の前記分包容器を同一服用時期ごとに収容する際に用いられる配送容器又は前記配送容器に付される第２記録媒体に、前記服用時期及び予め定められた配送先識別情報を含む第２配薬情報を記録する。前記判定手段は、前記分包容器又は前記第１記録媒体から読み取られる前記第１配薬情報の前記服用時期及び前記配送先識別情報と前記配送容器又は前記第２記録媒体から読み取られる前記第２配薬情報の前記服用時期及び前記配送先識別情報とが一致するか否かを判定する。
【０００７】
本発明によれば、分包容器及び配送容器の服用時期及び配送先が一致するか否かが判定されるため、複数の服用者の分包容器を服用時期ごとに纏めて配送容器に収容して配送先に配送する配薬作業における人為的ミスを抑制することが可能になる。
【０００８】
より具体的には、前記配薬支援システムが、前記判定手段の判定結果を報知する報知手段を更に備える構成が考えられる。これにより、ユーザーは、前記判定手段の判定結果を認識することができる。
【０００９】
さらに、前記判定手段は、同一の前記配送容器に収容される前記分包容器として予め定められた全ての前記分包容器又は前記分包容器の前記第１記録媒体から前記第１配薬情報が読み取られたか否かを判定することが考えられる。これにより、前記配送容器への前記分包容器の収容漏れを抑制することが可能となる。
【００１０】
また、前記判定手段が、同一の前記配送先識別情報に対応する配送先に同時に配送される前記配送容器として予め定められた全ての前記配送容器又は前記配送容器の前記第２記録媒体から前記第２配薬情報が読み取られたか否かを更に判定することも考えられる。これにより、同一の前記配送先識別情報に対応する配送先への前記配送容器の配送漏れを抑制することが可能となる。
【００１１】
さらに、前記第１配薬情報に、前記服用者の服用者識別情報が含まれていることが考えられる。この場合、前記配薬支援システムは、前記服用者識別情報に対応する前記服用者各々の顔画像が記憶される記憶手段と、前記分包容器から前記第１配薬情報が読み取られた場合に前記第１配薬情報の前記服用者識別情報に対応する前記服用者の顔画像を前記記憶手段から読み出して表示する表示制御手段と、を更に備えることが考えられる。これにより、前記分包容器を服用者に提供する際に、前記分包容器に対応する服用者の顔画像を確認することができ、投薬ミスを抑制することが可能となる。
【００１２】
ところで、前記配薬支援システムが、前記配送先において前記配送容器から読み取られる前記第２配薬情報の前記配送先識別情報と前記配送先に対応する前記配送先識別情報とが一致するか否かを判定する配送先判定手段を更に備えることも考えられる。これにより、前記配送先への前記配送容器の誤配送を抑制することが可能となる。
【００１３】
さらに、前記配薬支援システムが、薬品を服用時期ごとに分包容器に分包する際に用いられる処方データに基づいて、前記分包容器に分包された薬品の服用時期及び服用者の情報を含む配薬データを出力可能な配薬データ出力手段を有する薬局側端末と、複数の服用者に対応する複数の前記分包容器が配送される配送先に設けられ、前記薬局側端末から出力された前記配薬データを入力可能な配薬データ入力手段を有する施設側端末と、を備えることが考えられる。これにより、前記配送先において、前記配薬データを配薬作業の効率化及び配薬作業における投薬ミスの抑制に利用することが可能となる。
【００１４】
また、本発明の他の局面に係る配薬支援システムは、薬品を服用時期ごとに分包容器に分包する際に用いられる処方データに基づいて、前記分包容器に分包された薬品の服用時期及び服用者の情報を含む配薬データを出力可能な配薬データ出力手段を有する薬局側端末と、複数の服用者に対応する複数の前記分包容器が配送される配送先に設けられ、前記薬局側端末から出力された前記配薬データを入力可能な配薬データ入力手段を有する施設側端末と、を備える。これにより、前記配送先において、前記配薬データを配薬作業の効率化及び配薬作業における投薬ミスの抑制に利用することが可能となる。
【００１５】
また、前記施設側端末が、前記配薬データ入力手段により入力された前記配薬データに基づいて前記服用者各々と前記服用時期各々との関係を表示させる処方表示手段を更に備えることが考えられる。これにより、配薬担当者が前記服用者各々と前記服用時期各々との関係を容易に把握することができ、配薬作業の効率化及び配薬作業における投薬ミスの抑制が図られる。
【００１６】
具体的に、前記処方表示手段は、前記服用時期を選択するための第１表示画面を前記配薬データに基づいて表示する第１表示処理手段と、前記第１選択画面における前記服用時期の選択に応じて前記服用時期における前記服用者各々の配薬の要否を表示する第２表示
画面を表示する第２表示処理手段と、を含むことが考えられる。これにより、前記服用時期ごとにおいて配薬が必要な服用者を容易に把握することができる。
【００１７】
さらに、前記第２表示処理手段が、予め定められた複数の服用者を含む配薬グループごとに前記第２表示画面を表示可能であることも考えられる。これにより、前記服用者全員の情報が１つの前記第２表示画面に表示される場合に比べて、前記配薬グループごとの前記服用者について前記服用時期ごとにおける配薬の要否を容易に確認することができる。
【００１８】
また、前記第１表示処理手段は、前記第１表示画面において前記服用時期各々の配薬の要否を表示することが考えられる。これにより、配薬作業者は、前記服用時期ごとについて配薬の要否を容易に確認することができ、配薬作業が効率化される。
【００１９】
一方、前記第２表示処理手段は、前記服薬者の服薬の状況を予め設定された表示形態で表示することが考えられる。これにより、配薬作業者は、前記服薬者の服薬の状況を容易に把握することができ、配薬作業が効率化される。
【００２０】
また、前記施設側端末が、前記第２表示画面に表示された前記服用者ごとの服薬完了の入力操作を受け付ける服薬完了入力手段を更に備えることが考えられる。これにより、前記服用者ごとの服薬完了の有無を容易に確認することが可能になる。
【００２１】
また、前記施設側端末が、前記服用者が服用しなかった残薬に関する残薬情報の入力操作を受け付けると共に、前記残薬情報を出力可能な残薬情報出力手段を更に備えることが考えられる。これにより、前記残薬情報を参照することにより前記服用者ごとの残薬の有無などを容易に把握することができ、例えば次の薬品の処方時に薬品に無駄が生じないように考慮することが可能である。
【００２２】
例えば、前記薬局側端末が、前記残薬情報出力手段から出力された前記残薬情報を入力可能な残薬情報入力手段と、前記残薬情報入力手段により入力された前記残薬情報と前記配薬データとに基づいて使用可能な残薬の情報を通知可能な残薬通知手段と、を更に備えることが考えられる。これにより、前記残薬情報に示された残薬を利用することで、次の調剤における薬品の無駄を抑制することが可能になる。
【００２３】
また、前記薬局側端末が、前記配薬データを予め定められた複数の服用者を含む配薬グループの単位で出力可能であることが考えられる。さらに、前記薬局側端末が、前記処方データのうち予め設定された一又は複数の項目を抽出して前記配薬データとして出力可能であることが考えられる。これにより、前記処方データのうち必要な処方データだけを容易に利用することが可能である。
【００２４】
ところで、前記配薬データに、前記薬品の副作用に関する情報が含まれることが考えられる。これにより、前記薬品が配送される施設側で、前記薬品副作用に関する情報を容易に参照することが可能である。
【００２５】
前記施設側端末が、前記服用時期各々について予め設定されたアラーム時刻に報知を行うアラーム報知処理を実行するアラーム報知手段を更に備えることが考えられる。これにより、前記服用時期各々における服用漏れが抑制される。
【００２６】
前記施設側端末が、前記服用時期各々について前記アラーム時刻を予め定められたアラーム条件に従って自動的に設定するアラーム設定処理を実行するアラーム設定手段を更に備えることが考えられる。これにより、前記服用時期各々についての前記アラーム時刻が自動的に設定されるため前記アラーム時刻の設定の手間が軽減される。
【発明の効果】
【００２７】
本発明によれば、複数の服用者の分包容器を服用時期ごとに纏めて配送容器に収容して配送先に配送する配薬作業における人為的ミスを抑制することが可能な配薬支援システムが実現される。
【図面の簡単な説明】
【００２８】
【図１】図１は、本発明の実施の形態に係る配薬支援システムの概略構成を示すブロック図である。
【図２】図２は、本発明の実施の形態に係る配薬支援システムで使用される配薬管理情報の一例を示す図である。
【図３】図３は、本発明の実施の形態に係る配薬支援システムが設置された薬局及び配送先で実行される配薬作業のフローの一例を示すフローチャートである。
【図４】図４は、本発明の実施の形態に係る配薬支援システムが設置された薬局及び配送先で実行される配薬作業のフローの一例を示す模式図である。
【図５】図５は、本発明の実施の形態に係る配薬支援システムで実行される処方データ発行処理の手順の一例を示すフローチャートである。
【図６】図６は、本発明の実施の形態に係る配薬支援システムで実行される処方データ発行処理で生成される分包データの一例を示す図である。
【図７】図７は、本発明の実施の形態に係る配薬支援システムで実行される処方データ発行処理で生成される分包データの他の例を示す図である。
【図８】図８は、本発明の実施の形態に係る配薬支援システムで実行される薬品分包処理の手順の一例を示すフローチャートである。
【図９】図９は、本発明の実施の形態に係る配薬支援システムで実行される薬品分包処理の分包結果の一例を示す図である。
【図１０】図１０は、本発明の実施の形態に係る配薬支援システムで実行される収容時照合処理の手順の一例を示すフローチャートである。
【図１１】図１１は、本発明の実施の形態に係る配薬支援システムで実行される配送時照合処理の手順の一例を示すフローチャートである。
【図１２】図１２は、本発明の実施の形態に係る配薬支援システムで実行される受取時照合処理の手順の一例を示すフローチャートである。
【図１３】図１３は、本発明の実施の形態に係る配薬支援システムで実行される配薬時照合処理の手順の一例を示すフローチャートである。
【図１４】図１４は、本発明の他の実施の形態に係る配薬支援システムの概略構成を示すブロック図である。
【図１５】図１５は、本発明の他の実施の形態に係る配薬支援システムで使用される施設マスター及び入居者マスターの一例を示す図である。
【図１６】図１６は、本発明の他の実施の形態に係る配薬支援システムで使用される施設登録画面の一例を示す図である。
【図１７】図１７は、本発明の他の実施の形態に係る配薬支援システムで使用される入居者登録画面の一例を示す図である。
【図１８】図１８は、本発明の他の実施の形態に係る配薬支援システムで実行される処方データ発行処理の手順の一例を示すフローチャートである。
【図１９】図１９は、本発明の他の実施の形態に係る配薬支援システムで使用される配薬データの一例を示す図である。
【図２０】図２０は、本発明の他の実施の形態に係る配薬支援システムで実行される配薬時照合処理の手順の一例を示すフローチャートである。
【図２１】図２１は、本発明の他の実施の形態に係る配薬支援システムで表示される初期画面の一例を示す図である。
【図２２】図２２は、本発明の他の実施の形態に係る配薬支援システムで表示される初期画面の一例を示す図である。
【図２３】図２３は、本発明の他の実施の形態に係る配薬支援システムで表示される入居者一覧画面の一例を示す図である。
【図２４】図２４は、本発明の他の実施の形態に係る配薬支援システムで表示される入居者一覧画面の一例を示す図である。
【図２５】図２５は、本発明の他の実施の形態に係る配薬支援システムで表示される入居者確認画面の一例を示す図である。
【図２６】図２６は、本発明の他の実施の形態に係る配薬支援システムで表示される未服薬入力画面の一例を示す図である。
【図２７】図２７は、本発明の他の実施の形態に係る配薬支援システムで表示される予定入力画面の一例を示す図である。
【図２８】図２８は、本発明の他の実施の形態に係る配薬支援システムで表示される副作用情報入力画面の一例を示す図である。
【図２９】図２９は、本発明の他の実施の形態に係る配薬支援システムで表示される入居者状態画面の一例を示す図である。
【図３０】図３０は、本発明の他の実施の形態に係る配薬支援システムで表示される履歴画面の一例を示す図である。
【図３１】図３１は、本発明の他の実施の形態に係る配薬支援システムで表示される履歴画面の一例を示す図である。
【図３２】図３２は、本発明の他の実施の形態に係る配薬支援システムで表示される履歴画面の一例を示す図である。
【図３３】図３３は、本発明の他の実施の形態に係る配薬支援システムで表示される履歴画面の一例を示す図である。
【図３４】図３４は、本発明の他の実施の形態に係る配薬支援システムで表示される履歴画面の一例を示す図である。
【図３５】図３５は、本発明の他の実施の形態に係る配薬支援システムで表示される履歴画面の一例を示す図である。
【図３６】図３６は、本発明の他の実施の形態に係る配薬支援システムで実行される薬品分包処理の分包結果の一例を示す図である。
【発明を実施するための形態】
【００２９】
［第１実施形態］
以下添付図面を参照しながら、本発明の実施の形態について説明し、本発明の理解に供する。なお、以下の実施の形態は、本発明を具体化した一例であって、本発明の技術的範囲を限定する性格のものではない。
【００３０】
［配薬支援システム１０］
図１に示すように、本発明の実施の形態に係る配薬支援システム１０は、調剤支援装置１、読取端末２、薬品分包装置３、プリンタ４、配薬支援装置５、携帯端末６、及び読取端末７などを備える。前記調剤支援装置１、前記読取端末２、前記薬品分包装置３、及び前記プリンタ４は、ネットワークＮ１を介して無線又は有線で通信可能に接続されている。また、前記配薬支援装置５、前記携帯端末６、及び前記読取端末７は、ネットワークＮ２を介して無線又は有線で通信可能に接続されている。なお、前記ネットワークＮ１及び前記ネットワークＮ２は、ＬＡＮ、ＷＡＮ、インターネット、又はイントラネットなどである。
【００３１】
前記調剤支援装置１、前記読取端末２、前記薬品分包装置３、及び前記プリンタ４は、薬品の調剤が行われる薬局Ａに配置される。なお、前記調剤支援装置１は薬局側端末の一例であるが、その配置場所は、前記ネットワークＮ１に接続可能であれば前記薬局Ａの外部であってもよい。一方、前記配薬支援装置５、前記携帯端末６、及び前記読取端末７は
、前記薬局Ａで調剤された薬品の配送先となる老健施設Ｂ各々に配置される。前記老健施設Ｂには、前記薬局Ａで調剤された薬品を服用する複数の服用者が入居する施設である。なお、前記老健施設Ｂは、予め定められた配薬グループの一例に過ぎず、例えば予め定められた複数の服用者の自宅を含む地域又は配送ルートも前記配薬グループの一例である。また、前記配薬支援装置５は、施設側端末の一例であるが、その配置場所は、前記ネットワークＮ２に接続されて前記老健施設Ｂで使用可能であれば前記老健施設Ｂの外部であってもよい。さらに、前記調剤支援装置１が前記配薬支援装置５の機能を兼ねることも考えられる。
【００３２】
［薬品分包装置３］
前記薬品分包装置３は、前記調剤支援装置１から入力される処方データに基づいて薬品を服用時期ごとに薬包８１（図４参照）で分包することが可能な調剤機器である。例えば、前記薬品分包装置３は、錠剤を分包する錠剤分包機又は散薬を分包する散薬分包機である。具体的に、前記錠剤分包機は、複数種類の錠剤が収容された複数の薬剤カセットを有し、処方データに従って前記薬剤カセットから錠剤を払い出して服用時期ごとに前記薬包８１で包装する分包動作を実行する。また、前記散薬分包機は、投入された散薬を処方データに従って服用時期ごとに前記薬包８１で包装する分包動作を実行する。これらの分包動作に用いられる前記薬包８１が分包容器の一例である。さらに、前記錠剤分包機又は前記散薬分包機が、錠剤及び散薬を服用時期ごとに一包化することが可能な構成も考えられる。なお、前記薬品分包装置３では、前記薬品分包装置３に設けられた連続する長尺状の薬包シートの一部の加熱溶融により前記薬包８１が形成され、前記薬包８１各々の間には切り離しを容易に行うためのミシン目が形成される。
【００３３】
前記薬品分包装置３は、前記薬品分包装置３を制御する制御部３１、及び前記薬包８１に情報を印刷する分包プリンタ３２を備える。前記制御部３１は、ＣＰＵ、ＲＯＭ、及びＲＡＭなどを備える。前記分包プリンタ３２は、前記制御部３１からの制御指示に従って、前記薬包８１に、前記薬包８１に収容される薬品を服用する服用者を示す服用者ＩＤ（服用者識別情報の一例）、前記薬包８１に収容される薬品の服用時期、及び予め定められた配送先識別情報を含む第１配薬情報を印刷する。前記配送先識別情報は、前記薬包８１の薬品の服用者が入居している前記老健施設Ｂを示す配送先ＩＤ又は配送先名などの情報であって、後述の服用者マスターに登録されている。なお、前記服用時期を示す文字に代えて、又は前記服用時期を示す文字と共に、前記服用時期ごとに予め定められた服用時期コードの数字（例えば２桁の数字）又は前記服用時期を示すピクトグラムなどの画像が前記薬袋８１に印刷されることも考えられる。ここで、前記服用時期コードの数字は文字として印刷されてもよいが、前記薬品分包装置３が前記ピクトグラムを印刷する機能を有する場合には、前記制御部３１がその機能を利用して、前記服用時期コードの数字の画像として予め登録された画像を前記ピクトグラムに代えて印刷することも考えられる。これにより、既存のシステムにおいて前記薬包８１に前記服用時期コードの数字を印刷させることが可能である。
【００３４】
特に、前記薬品分包装置３では、前記分包プリンタ３２により、前記第１配薬情報を示す一次元コード又は二次元コード等のコード８１１（図４参照）が前記薬包８１に印刷される。ここに、前記分包プリンタ３２を用いて前記薬包８１に前記第１配薬情報を印刷するときの前記制御部３１が第１記録手段の一例である。なお、前記薬包８１に貼付されるラベルなどの第１記録媒体に前記第１配薬情報が印刷されることも他の実施形態として考えられる。また、前記薬包８１にＩＣタグのような第１記録媒体が付されることも考えられる。この場合、前記薬品分包装置３が、前記第１記録媒体に前記第１配薬情報を記録するＩＣリーダーライタのような記録手段を備える構成が考えられる。
【００３５】
また、前記薬品分包装置３は、一の服用者が服用する薬品を服用時期ごとに一連の前記
薬包８１に連続して分包する服用者別分包処理と、予め定められた配薬グループに属する複数の服用者が服用する薬品を服用時期ごとに並べて一連の前記薬包８１に連続して分包する時期別分包処理とを実行可能である。前記薬品分包装置３では、前記服用者別分包処理及び前記時期別分包処理のいずれが実行される場合でも、前記分包プリンタ３２によって前記薬包８１各々に前記コード８１１が印刷される。
【００３６】
なお、前記時期別分包処理が実行される場合には、前記一連の薬包８１を切り離すことなく配送することも考えられるため、前記分包プリンタ３２により最初又は最後の前記薬包８１のみに前記コード８１１が印刷されることも他の実施形態として考えられる。この場合、後述の収容時照合処理（図１０参照）において、前記服用時期ごとに連なった前記薬包８１のうち最初又は最後の前記薬包８１に印刷された前記第１配薬情報が照合の対象となる。
【００３７】
［プリンタ４］
前記プリンタ４は、予め定められた配薬グループに属する複数の服用者の前記薬包８１を同一服用時期ごとに纏めて収容する際に使用される薬袋８２（配送容器の一例：図４参照）に貼付されるラベル８２１（第２記録媒体の一例：図４参照）に情報を印刷するために用いられる。具体的に、前記プリンタ４は、前記調剤支援装置１からの制御指示に従って、前記ラベル８２１に、前記薬袋８２に収容される前記薬包８１に対応する服用時期及び予め定められた配送先識別情報を含む第２配薬情報を印刷（記録）する。特に、前記プリンタ４は、前記ラベル８２１に、前記第２配薬情報を示す一次元コード又は二次元コード等のコード８２２（図４参照）を印刷する。そして、前記ラベル８２１は、前記薬袋８２に貼付して用いられる。なお、前記配送先識別情報は、前記薬包８１の薬品の服用者が入居している前記老健施設Ｂを示す情報であって、後述の服用者マスターに予め登録されている。
【００３８】
前記ラベル８２１は、前記薬袋８２に前記第２配薬情報を記録するための手段の一例であり、前記プリンタ４によって前記薬袋８２に前記第２配薬情報が直接印刷されることも他の実施形態として考えられる。また、前記薬袋８２にＩＣタグのような第２記録媒体が付されることも考えられる。この場合、前記調剤支援装置１が、前記第２記録媒体に前記第２配薬情報を記録するＩＣリーダーライタのような記録手段を備える構成が考えられる。なお、前記プリンタ４は、前記調剤支援装置１から受信するプリントデータに従って、前記処方データに対応する処方箋を印刷するためにも利用される。
【００３９】
［調剤支援装置１］
前記調剤支援装置１は、制御部１１、データ記憶部１２、通信インターフェース１３、表示装置１４、操作装置１５、及びドライブ装置１６などを備えるパーソナルコンピュータである。前記調剤支援装置１の単体を本発明に係る配薬支援システムとして捉えてもよい。また、前記調剤支援装置１には、前記調剤支援装置１に処方データを入力する電子カルテシステム又は処方入力端末などの上位システム（不図示）が前記ネットワークＮ１を介して接続されている。なお、前記調剤支援装置１において前記操作装置１５を用いて処方データが入力可能な構成も考えられる。
【００４０】
前記制御部１１は、ＣＰＵ、ＲＯＭ、及びＲＡＭ等を備える。前記ＣＰＵは、各種の制御プログラムに従って処理を実行することにより前記調剤支援装置１を制御するプロセッサーである。前記ＲＯＭは、前記ＣＰＵにより実行されるＢＩＯＳ等のプログラムが予め記憶された不揮発性メモリである。前記ＲＡＭは、前記ＣＰＵによる各種の制御プログラムの展開及びデータの一時記憶に用いられる揮発性メモリ又は不揮発性メモリである。
【００４１】
前記データ記憶部１２は、前記制御部１１によって実行される各種のアプリケーション
プログラム及び各種のデータを記憶するハードディスク又はＳＳＤ等の不揮発性の記憶手段である。具体的に、前記データ記憶部１２には、後述の処方データ発行処理（図５参照）、収容時照合処理（図１０参照）及び配送時照合処理(図１１参照)などを前記制御部１１に実行させるための調剤支援プログラムが記憶されている。
【００４２】
例えば、前記制御部１１は、前記調剤支援プログラムに従って各種の処理を実行することにより、第２記録部１１１、判定部１１２、及び第１報知部１１３として機能する。ここに、前記第２記録部１１１、前記判定部１１２、及び前記第１報知部１１３として機能するときの前記制御部１１が第２記録手段、判定手段、及び第１報知手段の一例である。
【００４３】
前記第２記録部１１１は、前記プリンタ４を用いて、予め定められた前記老健施設Ｂ（配薬グループ）に属する複数の服用者の前記薬包８１を同一服用時期ごとに収容する際に用いられる前記薬袋８２に付される前記ラベル８２１に、前記服用時期及び前記老健施設Ｂの配送先識別情報を含む前記第２配薬情報である前記コード８２２を印刷（記録）する。
【００４４】
前記判定部１１２は、前記薬包８１から読み取られる前記第１配薬情報の前記服用時期及び前記配送先識別情報と前記薬袋８２から読み取られる前記第２配薬情報の前記服用時期及び前記配送先識別情報とが一致するか否かを判定する。なお、前記第１配薬情報及び前記第２配薬情報の読み取りは前記読取端末２によって行われる。
【００４５】
前記第１報知部１１３は、前記判定部１１２の判定結果を報知する。例えば、前記第１報知部１１３は、前記判定部１１２の判定結果が一致であるか否かを、前記読取端末２又は前記表示装置１４に表示させる。なお、前記第１報知部１１３は、前記判定部１１２の判定結果が一致でない場合にのみエラーメッセージを表示させることも考えられる。
【００４６】
また、前記データ記憶部１２には、薬品マスター、服用者マスター、薬剤師マスター、処方箋区分マスター、診療科マスター、及び病棟マスターなどの各種データベースも記憶されている。例えば、前記薬品マスターには、薬品コード、薬品名、ＪＡＮコード（又はＲＳＳ）、薬瓶コード、区分（剤形：散薬、錠剤、水剤、外用薬など）、比重、薬品種（普通薬、毒薬、麻薬、劇薬、抗精神薬、治療薬など）、配合変化、賦形薬品、注意事項などの情報が含まれる。さらに、前記薬品マスターには、薬品ごとに発現するおそれのある副作用に関する副作用関連情報も含まれる。これにより、前記調剤支援装置１において、前記制御部１１は、例えば副作用の内容が選択された場合に、その副作用の原因となっている可能性の高い薬品を前記副作用関連情報と前記処方データとに基づいて特定する被疑薬特定処理を実行することも可能である。また、前記服用者マスターには、服用者各々の服用者ＩＤ、氏名、性別、年齢、住所、既往歴、家族情報、診療科、及び入院病棟と共に、入居先の前記老健施設Ｂに対応する前記配送先識別情報などの情報が含まれる。なお、前記服用者とは、前記老健施設Ｂに入居している入居者、及び医療機関で診療を受けている患者を含む概念である。
【００４７】
また、前記データ記憶部１２は、処方データ記憶部１２１及び配薬管理情報記憶部１２２を有する。前記処方データ記憶部１２１は、前記上位システム（不図示）から取得する前記処方データをデータベース形式で記憶する。前記処方データには、例えば処方箋交付年月日、オーダーナンバー、処方区分、ＢＣＤ、服用者ＩＤ、服用者名、服用者生年月日、薬品情報（薬品コード、薬品名、用量など）、剤形情報（内服、外用など）、用法情報（服用時期を含む）、診療種別（外来、入院など）、診療科などの情報が含まれる。
【００４８】
前記配薬管理情報記憶部１２２は、配送先識別情報と服用時期と服用者識別情報とが対応付けられた配薬管理情報Ｄ１を記憶する。ここに、図２は、前記配薬管理情報Ｄ１の一
例を示す図である。図２に示すように、前記配薬管理情報Ｄ１では、配送日と、配送先識別情報である前記老健施設Ｂの配送先ＩＤ及び老健施設名と、服用時期と、前記服用者識別情報である前記服用者ＩＤ及び氏名とが対応付けて記憶されている。
【００４９】
具体的に、前記制御部１１は、前記上位システム（不図示）から入力される複数の服用者の処方データ及び前記服用者マスターに基づいて、前記配薬管理情報Ｄ１を生成する。なお、図２に示す前記配薬管理情報Ｄ１では、１日分の服用時期に対応する情報が示されているが、これに限定されない。例えば、前記制御部１１は、複数日分又は１週間分など、前記薬局Ａから前記老健施設Ｂに同時に配送される予め定められた任意の服用期間に対応する前記配薬管理情報Ｄ１を生成する。
【００５０】
また、図２に示す前記配薬管理情報Ｄ１では、前記老健施設Ｂとして二つの老健施設Ｂ１及び老健施設Ｂ２が登録されている場合を例に挙げて説明するが、一つ又は三つ以上の前記老健施設Ｂが配送先として予め登録されていてもよい。さらに、本実施の形態では、前記老健施設Ｂが一つの配薬グループとして設定されている場合について説明するが、例えば前記老健施設Ｂにおいて複数の服用者が入居している部屋又はフロアを前記配薬グループとして設定することも可能である。
【００５１】
前記通信インターフェース１３は、前記ネットワークＮ１を介して前記読取端末２、前記薬品分包装置３、及び前記プリンタ４との間で、予め定められた通信プロトコルに従って無線又は有線でデータ通信を実行するネットワークカード等を有する。前記表示装置１４は、前記制御部１１からの制御指示に従って各種の情報を表示する液晶ディスプレイ又は有機ＥＬディスプレイなどの表示手段である。前記操作装置１５は、前記調剤支援装置１に各種の情報を入力するためにユーザーによって操作される操作手段である。具体的に、前記操作装置１５は、前記表示装置１４の表示画面に従った各種の情報の入力操作を受け付けるキーボード及びマウス（ポインティングデバイス）を含む。
【００５２】
前記ドライブ装置１６は、前記調剤支援プログラムが記録されたコンピュータ読み取り可能な記録媒体１７から前記調剤支援プログラムを読み取ることが可能である。前記記録媒体１７は、ＣＤ、ＤＶＤ、ＢＤ、又はＵＳＢメモリなどである。そして、前記調剤支援装置１では、前記制御部１１により、前記記録媒体１７から前記ドライブ装置１６で読み取られた前記調剤支援プログラムが前記データ記憶部１２にインストールされる。
【００５３】
［読取端末２］
前記読取端末２は、前記薬包８１及び前記薬袋８２に付されている前記コード８１１及び前記コード８２２から前記第１配薬情報及び前記第２配薬情報を読み取るバーコードリーダーなどの読取手段である。前記読取端末２により読み取られる前記第１配薬情報及び前記第２配薬情報は、前記調剤支援装置１に入力される。なお、前記薬包８１又は前記薬袋８２に前記第１配薬情報又は前記第２配薬情報が記録されるＩＣタグなどの第１記録媒体又は第２記録媒体が付される場合、前記読取端末２は、前記第１記録媒体又は前記第２記録媒体から情報を読み取るＩＣリーダーライタのような読取手段である。また、前記読取端末２は、前記コード８１１及び前記コード８２２から情報を読み取ることができるものであれば、携帯電話、スマートフォン、ＰＤＡ、メディアプレーヤー、又はタブレット端末などの携帯端末であってもよい。
【００５４】
［配薬支援装置５］
一方、前記配薬支援装置５は、制御部５１、データ記憶部５２、通信インターフェース５３、表示装置５４、操作装置５５、及びドライブ装置５６などを備えるパーソナルコンピュータである。
【００５５】
前記制御部５１は、ＣＰＵ、ＲＯＭ、及びＲＡＭ等を備える。前記ＣＰＵは、各種の制御プログラムに従って処理を実行することにより前記配薬支援装置５を制御するプロセッサーである。前記ＲＯＭは、前記ＣＰＵにより実行されるＢＩＯＳ等のプログラムが予め記憶された不揮発性メモリである。前記ＲＡＭは、前記ＣＰＵによる各種の制御プログラムの展開及びデータの一時記憶に用いられる揮発性メモリ又は不揮発性メモリである。
【００５６】
前記データ記憶部５２は、前記制御部５１によって実行される各種のアプリケーションプログラム及び各種のデータを記憶するハードディスク又はＳＳＤ等の不揮発性の記憶手段である。具体的に、前記データ記憶部５２には、後述の受取時照合処理（図１２参照）及び配薬時照合処理(図１３参照)などを前記制御部５１に実行させるための配薬支援プログラムが記憶されている。
【００５７】
例えば、前記制御部５１は、前記配薬支援プログラムに従って各種の処理を実行することにより、表示制御部５１１、配送先判定部５１２、及び第２報知部５１３として機能する。ここに、前記表示制御部５１１、前記配送先判定部５１２、及び前記第２報知部５１３として機能するときの前記制御部５１が表示制御手段、配送先判定手段、及び第２報知手段の一例である。
【００５８】
前記表示制御部５１１は、前記薬包８１から前記第１配薬情報が読み取られた場合に前記第１配薬情報の前記服用者ＩＤに対応する前記服用者の顔画像を前記データ記憶部５２から読み出して表示する。具体的に、前記表示制御部５１１は、前記携帯端末６によって前記第１配薬情報が読み取られた場合に、前記マスター記憶部５２１に記憶されている後述の入居者マスターに基づいて前記服用者の顔画像を前記携帯端末６に表示させる。
【００５９】
前記配送先判定部５１２は、前記配送先において前記薬袋８２から読み取られる前記第２配薬情報の前記配送先識別情報と前記配送先に対応する前記配送先識別情報とが一致するか否かを判定する。即ち、前記配送先判定部５１２は、前記配送先が前記薬袋８２を配送するべき配送先として正しいか否かを判定する。
【００６０】
前記第２報知部５１３は、前記配送先判定部５１２による判定結果を報知する。例えば、前記第２報知部５１３は、前記配送先判定部５１２の判定結果が一致であるか否かを、前記表示装置５４又は前記読取端末７に表示させることが考えられる。なお、前記第２報知部５１３は、前記配送先判定部５１２の判定結果が一致でない場合にのみエラーメッセージを表示させることも考えられる。
【００６１】
また、前記データ記憶部５２は、マスター記憶部５２１及び変換情報記憶部５２２を有する。前記マスター記憶部５２１には、前記老健施設Ｂに入居している入居者について、入居者ＩＤ、入居者名、顔画像、病歴、又は薬歴などの情報を含む入居者マスターが記憶される。なお、前記顔画像は、入居者の外観を示す顔写真又は似顔絵などの画像として予め登録される。
【００６２】
前記変換情報記憶部５２２には、前記薬局Ａで管理されている前記服用者マスターと前記老健施設Ｂで管理されている前記入居者マスターとの互換を実現するために予め定められた変換情報が記憶されている。例えば、前記変換情報は、前記服用者ＩＤと前記入居者ＩＤとの対応関係を示す情報である。なお、前記服用者マスターにおける前記服用者ＩＤが、前記老健施設Ｂに対応する前記配送先識別情報及び前記入居者ＩＤを結合したものであることも考えられる。
【００６３】
これにより、前記配薬支援装置５では、前記制御部５１が、前記薬局Ａで管理されている前記服用者マスターにおける前記服用者ＩＤを前記変換情報に基づいて前記入居者ＩＤ
に変換することが可能である。従って、前記配薬支援システム１０では、前記薬局Ａ側のシステムと前記老健施設Ｂ側のシステムとを切り離して構成することが可能であり、前記老健施設Ｂ側の前記入居者マスターの情報を前記薬局Ａ側に伝える必要がない。
【００６４】
前記通信インターフェース５３は、前記ネットワークＮ１を介して前記調剤支援装置１等との間で、予め定められた通信プロトコルに従って無線又は有線でデータ通信を実行するネットワークカード等を有する。前記表示装置５４は、前記制御部５１からの制御指示に従って各種の情報を表示する液晶ディスプレイ又は有機ＥＬディスプレイなどの表示手段、及び前記制御部５１からの制御指示に従って音声を出力するスピーカー等を備える端末表示手段の一例である。前記操作装置５５は、前記配薬支援装置５に各種の情報を入力するためにユーザーによって操作される操作手段である。具体的に、前記操作装置５５は、前記表示装置５４の表示画面に従った各種の情報の入力操作を受け付けるキーボード及びマウス（ポインティングデバイス）を含む。
【００６５】
前記ドライブ装置５６は、前記配薬支援プログラムが記録されたコンピュータ読み取り可能な記録媒体５７から前記配薬支援プログラムを読み取ることが可能である。前記記録媒体５７は、ＣＤ、ＤＶＤ、ＢＤ、又はＵＳＢメモリなどである。そして、前記配薬支援装置５では、前記制御部５１により、前記記録媒体５７から前記ドライブ装置５６で読み取られた前記配薬支援プログラムが前記データ記憶部５２にインストールされる。
【００６６】
［携帯端末６］
前記携帯端末６は、例えば携帯電話、スマートフォン、ＰＤＡ、メディアプレーヤー、又はタブレット端末などであって、前記老健施設Ｂにおいて、前記薬袋８２に収容された前記薬包８１を服用者に配薬する配薬担当者によって持ち運ばれる。前記携帯端末６は、制御部６１及びカメラ６２を備える。
【００６７】
前記制御部６１は、ＣＰＵ、ＲＡＭ、及びＲＯＭなどを備え、前記携帯端末６を制御する。なお、前記携帯端末６では、前記制御部６１により、予めインストールされたアプリケーションプログラムに従って各種の処理が実行される。前記カメラ６２は、画像又は映像を撮影する撮影手段である。そして、前記制御部６１は、前記カメラ６２で撮影される画像又は映像に含まれる一次元コード又は二次元コードを読み取るコード読取機能を有する。具体的に、前記携帯端末６では、前記コード読取機能を用いて、前記薬包８１及び前記薬袋８２に印刷されている一次元コード又は二次元コードから情報を読み取ることが可能である。そして、前記制御部６１は、前記カメラ６２を用いて読み取った情報を前記配薬支援装置５に送信する。なお、前記携帯端末６は、各種の情報を表示する表示部及び各種の操作を受け付ける操作部なども備えている。
【００６８】
［読取端末７］
前記読取端末７は、前記読取端末２と同様に、前記薬包８１又は前記薬袋８２などに印刷されている一次元コード又は二次元コードから情報を読み取るバーコードリーダーなどの読取手段である。そして、前記読取端末７により読み取られる情報は、前記配薬支援装置５に入力される。なお、前記薬包８１又は前記薬袋８２にＩＣタグなどの記録媒体が付される場合、前記読取端末７は、前記記録媒体から情報を読み取るＩＣリーダーライタのような読取手段である。なお、前記携帯端末６を前記読取端末７として利用し、前記読取端末７を省略することも可能である。
【００６９】
［配薬作業の一例］
続いて、図３及び図４を参照しつつ、前記配薬支援システム１０が使用される前記薬局Ａ及び前記老健施設Ｂにおいて実行される配薬作業のフローについて説明する。具体的に、図３に示すステップＳ１〜Ｓ５は前記薬局Ａで実行され、ステップＳ６〜Ｓ７は前記老
健施設Ｂで実行される。なお、図４は、前記薬局Ａから前記老健施設Ｂの一例である前記老健施設Ｂ１及び前記老健施設Ｂ２に薬品が配送される場合の前記配薬作業のフローを模式的に示す図である。
【００７０】
＜ステップＳ１＞
まず、前記調剤支援装置１では、前記制御部１１が、前記操作装置１５のユーザー操作に応じて、薬品を配送する前記老健施設Ｂを選択し、前記老健施設Ｂに対応する処方データを発行する処方データ発行処理を実行する（Ｓ１）。
【００７１】
＜ステップＳ２＞
そして、前記調剤支援装置１では、前記制御部１１が、前記ステップＳ１で発行された前記処方データ各々に基づいて分包データを生成し、その分包データを前記薬品分包装置３に入力することにより、前記薬品分包装置３による自動調剤が開始される（Ｓ２）。これにより、図４に示すように、前記老健施設Ｂ各々に属する服用者が服用する薬品が収容された前記薬包８１各々が得られる。
【００７２】
また、前記ステップＳ２において、前記薬品分包装置３では、前記制御部３１が、前記分包プリンタ３２を用いて、図４に示すように、前記第１配薬情報を示す前記コード８１１を前記薬包８１に印刷させる。前記第１配薬情報には、前記服用者ＩＤ、前記服用時期及び前記配送先識別情報が含まれる。なお、前記薬包８１には、服用者名、服用日時、及び服用時期なども印刷される。
【００７３】
さらに、前記ステップＳ２において、前記制御部１１は、前記プリンタ４を用いて、図４に示すように、前記第２配薬情報を示す前記コード８２２を、前記薬袋８２に貼付される前記ラベル８２１に印刷させる。前記第２配薬情報には、前記服用時期及び前記配送先識別情報が含まれる。なお、前記薬袋８２には、老健施設名、服用日時、及び服用時期なども印刷される。
【００７４】
＜ステップＳ３＞
前記薬品分包装置３による調剤作業が完了すると、続いて、鑑査担当の薬剤師は、前記薬品分包装置３で調剤された薬品の鑑査を行う（Ｓ３）。なお、前記鑑査には、前記薬品分包装置３により調剤された薬品を撮像し、その撮像された画像に基づいて自動的に鑑査を行う画像鑑査システムが利用されることも考えられる。例えば、前記薬品分包処理において前記時期別分包処理が実行された場合、前記画像鑑査システムでは、老健施設単位で前記服用時期ごとに並べられた前記薬包８１各々の画像が分割され、前記服用者単位で前記服用時期ごとに並べた鑑査用画像が生成される。そして、前記画像鑑査システムは、前記鑑査用画像に基づいて前記薬品分包装置３により調剤された薬品を鑑査する。
【００７５】
＜ステップＳ４＞
次に、配送担当者は、図４に示すように、前記老健施設Ｂ各々に配送するべき前記薬包８１各々を前記薬包８１の服用時期及び配送先に対応する前記薬袋８２に収容する（Ｓ４）。このとき、配送担当者は、前記読取端末２を用いて、前記薬包８１及び前記薬袋８２各々から前記第１配薬情報及び前記第２配薬情報を読み取る。これにより、前記調剤管理装置１の制御部１１は、後述の収容時照合処理において前記第１配薬情報と前記第２配薬情報とが一致するか否かを判定する。
【００７６】
＜ステップＳ５＞
その後、配送担当者は、前記薬袋８２各々を前記配送先に配送する（Ｓ５）。このとき、配送担当者は、前記読取端末２を用いて、前記薬袋８２各々から前記第２配薬情報を読み取る。これにより、前記調剤管理装置１の制御部１１は、後述の配送時照合処理におい
て前記配送先に配送するべき前記薬袋８２に漏れがあるか否かを判定する。
【００７７】
＜ステップＳ６＞
次に、前記老健施設Ｂ各々では、前記薬局Ａから前記薬袋８２各々を受け取ると、配薬担当者が、前記読取端末７を用いて前記薬袋８２のコード８２２から前記第２配薬情報を読み取る（Ｓ６）。これにより、前記配薬支援装置５１の制御部５１は、後述の薬品受取処理において、前記第２配薬情報に含まれる配送先識別情報と前記読取端末７が配置された前記老健施設Ｂの配送先識別情報とが一致するか否かを判定する。
【００７８】
＜ステップＳ７＞
その後、前記老健施設Ｂの配薬担当者は、服用時期ごとに、その服用時期に対応する前記薬袋８２に収容されている前記薬包８１各々を入居者に配薬する（Ｓ７）。このとき、前記配薬作業では、複数の服用者の前記薬包８１が前記服用時期ごとに纏めて前記薬袋８２に収容されているため、配送先である前記老健施設Ｂでは、服用時期ごとに前記薬袋８２から複数の服用者の前記薬包８１を取り出して服用者各々に容易に投薬することが可能である。また、前記ステップＳ７において、配薬担当者は、前記携帯端末６を用いて前記薬包８１各々から前記第１配薬情報を読み取る。これにより、前記配薬支援装置５１の制御部５１は、後述の配薬時照合処理において、前記第１配薬情報に含まれる前記服用者ＩＤに基づいて前記服用者ＩＤに対応する入居者の顔画像６３を前記データ記憶部５２の前記服用者情報記憶部５２１から読み出して前記携帯端末６に表示させる。
【００７９】
［配薬支援システム１０で実行される各種の処理］
以下、図５〜図１３を参照しつつ、前記配薬作業（図３参照）が実行される場合に、前記配薬支援システム１０において実行される各種の処理の一例について説明する。なお、前記配薬支援システム１０において実行される各種の処理の実行主体はここで説明するものに限らず、前記配薬支援システム１０を構成する各種の装置の制御部により実行されればよい。
【００８０】
［処方データ発行処理］
まず、図５を参照しつつ、前記ステップＳ１において前記調剤支援装置１の制御部１１によって実行される処方データ発行処理について説明する。
【００８１】
＜ステップＳ１１＞
ステップＳ１１において、前記制御部１１は、一又は複数の前記老健施設Ｂについて処方データの発行操作が行われたか否かを判断する。具体的に、前記制御部１１は、前記調剤支援装置１における前記操作装置１５のユーザー操作に応じて、一又は複数の前記老健施設Ｂを選択し、前記老健施設Ｂ各々の処方データの発行操作を受け付ける。そして、前記処方データの発行操作が行われると（Ｓ１１：Ｙｅｓ）、処理がステップＳ１２に移行する。なお、前記処方データの発行操作が行われるまでの間は（Ｓ１１：Ｎｏ）、処理が前記ステップＳ１１で待機する。
【００８２】
＜ステップＳ１２＞
ステップＳ１２において、前記制御部１１は、前記老健施設Ｂ各々に属する前記服用者各々の前記処方データを、当該服用者が属する老健施設単位で同一服用時期ごとに分解して並べた分包データを生成する。
【００８３】
例えば、前記制御部１１は、図６に示すように、「老健施設Ｂ１」及び「老健施設Ｂ２」ごとに属する複数の服用者の処方データをグループ化したグループ処方データを生成する。その後、前記制御部１１は、図７に示すように、前記グループ処方データに基づいて、「老健施設Ｂ１」及び「老健施設Ｂ２」に属する服用者各々に対応する処方データを服
用時期ごとに並び替えた分包データを生成する。また、前記分包データには、服用時期に対応する薬品が存在しない服用者についてもその旨を示すデータ（空データ）が含まれている。
【００８４】
＜ステップＳ１３＞
そして、ステップＳ１３において、前記制御部１１は、前記薬品分包装置３に前記分包データを出力する。これにより、前記薬品分包装置３では、前記分包データに従って後述の薬品分包処理（図８参照）が実行される。なお、前記調剤支援装置１が接続された前記プリンタ４等により前記分包データを示す一次元コード又は二次元コードなどを印刷出力することも他の実施形態として考えられる。これにより、前記薬品分包装置３では、前記印刷された用紙から前記分包データをハーコードリーダー等によって読み取ることにより、前記分包データに従った分包動作を行うことが可能である。
【００８５】
［薬品分包処理］
次に、図８を参照しつつ、前記ステップＳ２において前記薬品分包装置３の制御部３１によって実行される薬品分包処理について説明する。なお、本実施の形態では、前記薬品分包処理として前記時期別分包処理が実行される場合を例に挙げて説明するが、前記服用者別分包処理が実行されてもよい。
【００８６】
＜ステップＳ２１＞
まず、ステップＳ２１において、前記制御部３１は、前記調剤支援装置１からの前記分包データの入力を待ち受ける（Ｓ２１：Ｎｏ）。そして、前記分包データが入力されたと判断すると（Ｓ２１：Ｙｅｓ）、前記制御部３１は、処理をステップＳ２２に移行させる。
【００８７】
＜ステップＳ２２＞
ステップＳ２２において、前記制御部３１は、前記分包データのうち一つ目の前記老健施設Ｂ１を分包対象として設定する。具体的に、図７に示した前記分包データが入力された場合、前記制御部１１は、初めの前記ステップＳ２２において、「老健施設Ｂ１」を分包対象として設定する。そして、二回目以降に前記ステップＳ２２が実行された場合、前記制御部１１は二つ目以降の前記病室を順に分包対象として設定する。即ち、図７に示した前記分包データが入力された場合、前記制御部３１は、二回目の前記ステップＳ２２において、「老健施設Ｂ２」を分包対象として設定する。
【００８８】
＜ステップＳ２３＞
ステップＳ２３において、前記制御部３１は、前記分包データのうち前記ステップＳ２２で分包対象として選択された前記老健施設Ｂに対応する一つ目の服用時期を分包対象として分包を開始する。
【００８９】
具体的に、図７に示した前記分包データが入力されている場合、前記制御部３１は、初めの前記ステップＳ２３において、「老健施設Ｂ１」の「△月△日朝食後」の服用時期を分包対象として分包を開始する。そして、二回目以降に前記ステップＳ２３が実行された場合、前記制御部３１は、二つ目以降の前記服用時期について順に分包対象として分包を開始する。即ち、図７に示した前記分包データが入力されている場合、前記制御部３１は、二回目の前記ステップＳ２３において、「老健施設Ｂ１」の「△月△日昼食後」の服用時期を分包対象として分包を開始する。
【００９０】
ここに、図９（Ａ）は、図７に示した前記分包データに基づいて前記薬品分包処理が実行された場合の分包結果の一例を示す図である。図９（Ａ）に示す分包結果では、同一の前記老健施設Ｂに属する複数の服用者が服用する薬品が服用時期ごとに連続して分包され
ている。具体的に、前記老健施設Ｂ１の服用者「湯山一郎」、「湯山二郎」、「湯山三郎」に対応する前記薬包８１が、△月△日の朝食後、昼食後、夕食後ごとに連続して形成されている。なお、△月△日の後には、次の日である△月□日についても同様の形態で分包される。
【００９１】
また、前記処方データに、前記薬包８１に分包されない目薬、水剤、又は外用薬などの分包外薬品の情報（種類、使用時期など）が含まれる場合には、前記分包データに、前記薬品分包装置３で分包される薬品のデータに加えて前記分包外薬品の情報が含まれることが考えられる。この場合、前記制御部３１は、前記分包外薬品の使用時期に対応する前記薬包８１に、前記分包外薬品が存在する旨及び前記分包外薬品の内容などの情報を文字又はピクトグラム（画像）で印刷することが考えられる。これにより、前記薬包８１の配薬時に前記分包外薬品の存在を容易に把握することができ、前記分包外薬品の使用忘れを抑制することができる。また、前記分包外薬品の使用時期に対応する前記薬包８１が存在しない場合でも、前記制御部３１が、空の前記薬包８１を出力してその薬包８１に前記分包外薬品が存在する旨及び前記分包外薬品の内容などの情報を文字又はピクトグラム（画像）で印刷することが考えられる。これにより、前記薬包８１の服用時期と異なる時期に使用するべき前記分包外薬品が存在する場合でも、前記薬包８１を参照することにより前記分包外薬品の存在を容易に把握することができ、前記分包外薬品の使用忘れを抑制することができる。
【００９２】
＜ステップＳ２４＞
次に、ステップＳ２４において、前記制御部３１は、前記分包データに含まれた前記服用者各々のデータについて当該服用時期に服用するべき薬品が存在するか否かを順に判断する。そして、前記制御部３１は、当該データに服用時期に服用するべき薬品が存在しない場合、即ち当該データが空データである場合（Ｓ２４：Ｎｏ）、処理をステップＳ２４１に移行させる。一方、当該データに服用時期に服用するべき薬品が存在している場合、即ち当該データが空データではない場合（Ｓ２４：Ｙｅｓ）、処理をステップＳ２５に移行させる。
【００９３】
＜ステップＳ２５＞
ステップＳ２５において、前記制御部３１は、前記分包データに含まれた当該データについて分包動作を実行する。具体的に、前記制御部３１は、前記分包プリンタ３２により、服用者の氏名及び服用時期と前記第１配薬情報を示す前記コード８１１とを前記薬包８１に印刷すると共に、当該データに対応する薬品を前記薬包８１に分包する。
【００９４】
＜ステップＳ２４１＞
一方、ステップＳ２４１において、前記制御部３１は、当該服用時期に服用するべき薬品が存在しない旨が前記分包プリンタ３２により印刷された空の前記薬包８１を作成する。具体的に、空の前記薬包８１には、服用者の氏名及び服用時期と、前記コード８１１と、薬がない旨を示す情報（お薬はありません）とが印刷される。
【００９５】
＜ステップＳ２６＞
そして、ステップＳ２６において、前記制御部３１は、前記ステップＳ２３で開始された同一服用時期についての分包が終了したか否かを判断する。ここで、前記同一服用時期の分包が終了したと判断すると（Ｓ２６：Ｙｅｓ）、前記制御部３１は処理をステップＳ２７に移行させる。一方、前記同一服用時期の分包が終了していないと判断すると（Ｓ２６：Ｎｏ）、前記制御部３１は処理を前記ステップＳ２４に戻す。
【００９６】
＜ステップＳ２７＞
ステップＳ２７において、前記制御部３１は、前記ステップＳ２２で分包対象として設
定された同一の前記老健施設Ｂについての全服用時期の分包が終了したか否かを判断する。ここで、前記全服用時期の分包が終了したと判断すると（Ｓ２７：Ｙｅｓ）、前記制御部３１は処理をステップＳ２８に移行させる。一方、前記全服用時期の分包が終了していないと判断すると（Ｓ２７：Ｎｏ）、前記制御部３１は処理をステップＳ２７１に移行させる。
【００９７】
＜ステップＳ２７１＞
ステップＳ２７１において、前記制御部３１は、前記服用時期が切り替わるタイミングを明示するための分包の区切り処理を実行し、処理を前記ステップＳ２３に戻す。例えば、前記区切り処理は、空の前記薬包８１を一つ設けることである。これにより、当該薬品分包処理による分包結果として得られる前記薬包８１が連続して形成された薬包シートにおいて服用時期の切り替わりのタイミングを容易に把握することができる。なお、空の前記薬包８１には、その前に連なっている各薬包８１の内容に関する検薬用、鑑査用の各種情報が印字されてもよい。また、前記区切り処理は、前記薬包８１が連続して形成された薬包シートを一度切断することであってもよい。これにより、前記薬品分包装置３において、自動的に服用時期ごとの前記薬包８１の連続体を得ることができる。なお、前記区切り処理を省略することも他の実施形態として考えられる。
【００９８】
＜ステップＳ２８＞
そして、ステップＳ２８では、前記分包データに含まれた全ての前記老健施設Ｂについての分包が終了したか否かを判断する。ここで、前記老健施設Ｂ各々の分包が終了したと判断すると（Ｓ２８：Ｙｅｓ）、前記制御部３１は一連の当該薬品分包処理を終了して処理を前記ステップＳ２１に戻す。一方、前記老健施設Ｂ各々の分包が終了していないと判断すると（Ｓ２８：Ｎｏ）、前記制御部３１は処理を前記ステップＳ２２に移行させ、次の前記老健施設Ｂについての分包動作を開始する。
【００９９】
なお、本実施の形態では、前記薬品分包処理において前記時期別分包処理が実行される場合を例に挙げて説明したが、前記薬品分包処理において前記服用者別分包処理が実行されてもよい。ここに、図９（Ｂ）は、図６に示した前記グループ処方データに従って「老健施設Ｂ１」を対象に前記服用者別分包処理が実行された場合の分包結果を示す図である。図９（Ｂ）に示す分包結果では、一の服用者が服用する薬品が服用時期ごとに連続して分包されている。具体的に、図９（Ｂ）に示す例では、服用者「湯山一郎」の△月△日の朝食後、昼食後、夕食後、△月□日の朝食後、昼食後、夕食後のそれぞれに対応する前記薬包８１が連続して形成されている。そして、服用者「湯山一郎」の後は、同一の前記老健施設Ｂ１に属する服用者「湯山二郎」についても同様に、服用時期ごとに対応する前記薬包８１が連続して形成される。
【０１００】
［収容時照合処理］
続いて、図１０のフローチャートを参照しつつ、前記ステップＳ３において前記調剤支援装置１の前記制御部１１によって実行される収容時照合処理について説明する。
【０１０１】
なお、前記服用者別分包処理が実行された場合には、前記ステップＳ３における前記薬包８１の前記薬袋８２への収容時に、前記薬包８１各々が切り離されて前記薬袋８２各々に収容される。一方、前記時期別分包処理が実行された場合には、前記ステップＳ３における前記薬包８１の前記薬袋８２への収容時に、前記薬包８１各々を切り離して前記薬袋８２各々に収容してもよいが、服用時期ごとに連なった複数の前記薬包８１を切り離さずに前記薬袋８２に収容してもよい。このような収容作業により、前記薬局Ａでは、前記服用時期ごとに対応する複数の服薬者の前記薬包８１が纏めて収容された前記薬袋８２が複数準備される。
【０１０２】
＜ステップＳ３１＞
ステップＳ３１において、前記制御部１１は、前記読取端末２によって、前記薬袋８２の前記コード８２２から前記第２配薬情報が読み取られたか否かを判断する。ここで、前記制御部１１は、前記第２配薬情報が読み取られたと判断すると（Ｓ３１：Ｙｅｓ）、処理をステップＳ３２に移行させる。一方、前記第２配薬情報が読み取られるまでの間は（Ｓ３１：Ｎｏ）、処理が前記ステップＳ３１で待機する。なお、前記制御部１１は、前記薬包８１の第１配薬情報と前記薬袋８２の第２配薬情報との違いを、例えば前記第１配薬情報にのみ存在する前記服用者ＩＤの有無に応じて判断可能である。もちろん、前記第１配薬情報及び前記第２配薬情報にその識別が可能な情報が含まれていてもよい。
【０１０３】
＜ステップＳ３２＞
ステップＳ３２において、前記制御部１１は、前記ステップＳ３１で読み取られた前記薬袋８２の第２配薬情報と前記配薬管理情報Ｄ１とに基づいて、同一の前記薬袋８２に収容される薬包８１として予め定められた一又は複数の前記薬包８１を特定する。具体的に、前記制御部１１は、前記配薬管理情報Ｄ１において前記配送先識別情報及び前記服用時期が前記第２配薬情報と同一である前記服用者ＩＤの薬品が収容される前記薬包８１を前記薬袋８２に収容するべき前記薬包８１として特定する。
【０１０４】
＜ステップＳ３３＞
そして、ステップＳ３３において、前記制御部１１は、前記読取端末２によって、前記薬包８１の前記コード８１１から前記第１配薬情報が読み取られたか否かを判断する。ここで、前記制御部１１は、前記第１配薬情報が読み取られたと判断すると（Ｓ３３：Ｙｅｓ）、処理をステップＳ３４に移行させ、前記第１配薬情報が読み取られるまでの間は（Ｓ３３：Ｎｏ）、前記ステップＳ３３の判断を繰り返す。
【０１０５】
＜ステップＳ３４＞
ステップＳ３４において、前記制御部１１は、前記ステップＳ３１で読み取られた前記第２配薬情報の前記配送先識別情報及び前記服用時期と前記ステップＳ３３で読み取られた前記第１配薬情報の前記配送先識別情報及び前記服用時期とが一致するか否かを判定する。ここに、前記ステップＳ３４は、前記制御部１１の前記判定部１１２によって実行される処理である。また、前記ステップＳ３４において、前記制御部１１は、前記ステップＳ３３で読み取られた前記第１配薬情報と、前記ステップＳ３４における判定結果とを読取履歴として前記データ記憶部１２に記憶させる。これにより、前記調剤支援装置１では、前記読取履歴を参照及び出力することが可能である。
【０１０６】
＜ステップＳ３５＞
そして、ステップＳ３５において、前記制御部１１は、前記ステップＳ３４における判定結果を報知する。ここに、前記ステップＳ３５は、前記制御部１１の前記第１報知部１１３によって実行される処理である。具体的に、前記制御部１１は、前記判定結果を前記表示装置１４又は前記読取端末２に表示させることにより、前記判定結果をユーザーに報知する。これにより、ユーザーが前記判定結果を認識することができる。従って、複数の服用者の前記薬包８１を服用時期ごとに纏めて前記薬袋８２に収容して配送先に配送する配薬作業における人為的ミスが抑制される。なお、前記判定結果の報知方法は表示に限らず、音声又は発光態様などによって前記判定結果の報知が行われてもよい。
【０１０７】
＜ステップＳ３６＞
その後、ステップＳ３６において、前記制御部１１は、前記読取端末２による前記薬袋８２に収容する前記薬包８１からの前記第１配薬情報の読取作業を終了するか否かを判断する。具体的に、前記制御部１１は、前記読取端末２に対するユーザーの継続操作、又は次の前記薬包８１からの前記第１配薬情報の読取作業が行われた場合に、前記読取作業を
終了しないと判断し（Ｓ３６：Ｎｏ）、処理を前記ステップＳ３３に移行させる。これにより、前記薬袋８２に収容する前記薬包８１各々からの前記第１配薬情報の読み取りが順に実行される。一方、前記制御部１１は、前記読取端末２に対するユーザーの終了操作に応じて前記読取端末２から終了信号が入力された場合、又は前記ステップＳ３１で読み取られた前記薬袋８２と異なる前記薬袋８２から前記第２配薬情報が読み取られた場合に、前記読取作業を終了すると判断し（Ｓ３６：Ｙｅｓ）、処理をステップＳ３７に移行させる。
【０１０８】
＜ステップＳ３７＞
ステップＳ３７において、前記制御部１１は、前記配薬管理情報Ｄ１に基づいて、同一の前記薬袋８２に収容するべき全ての前記薬包８１から前記第１配薬情報が読み取られたか否かを判定する。ここに、前記ステップＳ３７は、前記制御部１１の前記判定部１１２によって実行される処理である。ここで、前記制御部１１は、前記薬袋８２に収容するべき全ての前記薬包８１から前記第１配薬情報が読み取られたと判定すると（Ｓ３７：Ｙｅｓ）、当該収容時照合処理を終了させて処理を前記ステップＳ３１に戻す。なお、異なる前記薬袋８２から前記第２配薬情報が読み取られることにより読取終了と判断した場合には、続く前記ステップＳ３１以降において当該第２配薬情報に基づいて同様の処理が実行される。一方、前記制御部１１は、前記薬袋８２に収容するべき全ての前記薬包８１から前記第１配薬情報が読み取られていないと判定すると（Ｓ３７：Ｎｏ）、処理をステップＳ３８に移行させる。
【０１０９】
＜ステップＳ３８＞
ステップＳ３８において、前記制御部１１は、前記ステップＳ３７における判定結果を報知し、処理を前記ステップＳ３３に戻す。具体的に、前記制御部１１は、前記配薬管理情報Ｄ１に基づいて、前記薬袋８２に収容するべき前記薬包８１のうち前記ステップＳ３３で読み取られていない前記薬包８１が存在する旨、及びその未読取の前記薬包８１の情報を前記表示装置１４又は前記読取端末２に表示させる。これにより、前記薬袋８２への前記薬包８１の収容漏れが抑制される。例えば、前記制御部１１は、前記薬袋８２に収容するべき前記薬包８１のうち前記ステップＳ３３で読み取られていない前記薬包８１に対応する服用者のＩＤ又は氏名などを前記服用時期と共に表示させる。
【０１１０】
［配送時照合処理］
続いて、図１１のフローチャートを参照しつつ、前記ステップＳ５において前記調剤支援装置１の前記制御部１１によって実行される配送時照合処理について説明する。
【０１１１】
＜ステップＳ４１＞
ステップＳ４１において、前記制御部１１は、前記読取端末２によって、前記配送先識別情報が入力されたか否かを判断する。具体的に、配送担当者は、前記読取端末２に対して、これから出荷する前記薬袋８２の配送先である前記老健施設Ｂを示す前記配送先識別情報を入力する。また、配送担当者は、前記読取端末２を用いて、これから出荷する前記薬袋８２が配送する際に収容されるコンテナなどの容器に予め付された前記配送先識別情報を読み取ることにより前記配送先識別情報を入力することも考えられる。ここで、前記制御部１１は、前記配送先識別情報が入力されたと判断すると（Ｓ４１：Ｙｅｓ）、処理をステップＳ４２に移行させる。一方、前記配送先識別情報が入力されるまでの間は（Ｓ４１：Ｎｏ）、処理が前記ステップＳ４１で待機する。
【０１１２】
＜ステップＳ４２＞
ステップＳ４２において、前記制御部１１は、前記ステップＳ４１で入力された前記配送先識別情報と前記配薬管理情報Ｄ１とに基づいて、前記配送先識別情報が示す同一の前記老健施設Ｂに同時に配送するべき一又は複数の前記薬袋８２を特定する。具体的に、前
記制御部１１は、前記配送先識別情報及び前記配送日が同一である前記薬袋８２を前記老健施設Ｂに同時に配送するべき前記薬袋８２として特定する。
【０１１３】
＜ステップＳ４３＞
そして、ステップＳ４３において、前記制御部１１は、前記読取端末２によって、前記薬袋８２の前記コード８２２から前記第２配薬情報が読み取られたか否かを判断する。ここで、前記制御部１１は、前記第２配薬情報が読み取られたと判断すると（Ｓ４３：Ｙｅｓ）、処理をステップＳ４４に移行させ、前記第２配薬情報が読み取られるまでの間は（Ｓ４３：Ｎｏ）、前記ステップＳ４３の判断を繰り返す。
【０１１４】
＜ステップＳ４４＞
ステップＳ４４において、前記制御部１１は、前記ステップＳ４１で入力された前記配送先識別情報と前記ステップＳ４３で読み取られた前記第２配薬情報の前記配送先識別情報とが一致するか否かを判定する。ここに、前記ステップＳ４４は、前記制御部１１の前記判定部１１２によって実行される処理である。また、前記ステップＳ４４において、前記制御部１１は、前記ステップＳ４３で読み取られた前記第２配薬情報と、前記ステップＳ４４における判定結果とを読取履歴として前記データ記憶部１２に記憶させる。これにより、前記調剤支援装置１では、前記読取履歴を参照及び出力することが可能である。
【０１１５】
＜ステップＳ４５＞
そして、ステップＳ４５において、前記制御部１１は、前記ステップＳ４４における判定結果を報知する。ここに、前記ステップＳ４５は、前記制御部１１の前記第１報知部１１３によって実行される処理である。具体的に、前記制御部１１は、前記判定結果を前記表示装置１４又は前記読取端末２に表示させることにより、前記判定結果をユーザーに報知する。これにより、ユーザーが前記判定結果を認識することができる。従って、複数の服用者の前記薬包８１を服用時期ごとに纏めて前記薬袋８２に収容して配送先に配送する配薬作業における人為的ミスが抑制される。なお、前記判定結果の報知方法は表示に限らず、音声又は発光態様などによって前記判定結果の報知が行われてもよい。
【０１１６】
＜ステップＳ４６＞
その後、ステップＳ４６において、前記制御部１１は、前記読取端末２による同一の前記老健施設Ｂに配送する前記薬袋８２からの前記第２配薬情報の読取作業を終了するか否かを判断する。具体的に、前記制御部１１は、前記読取端末２に対するユーザーの継続操作、又は次の前記薬袋８２からの前記第２配薬情報の読取作業が行われた場合に、前記読取作業を終了しないと判断し（Ｓ４６：Ｎｏ）、処理を前記ステップＳ４３に移行させる。これにより、同一の前記老健施設Ｂに配送する前記薬袋８２各々からの前記第２配薬情報の読み取りが順に実行される。一方、前記制御部１１は、前記読取端末２に対するユーザーの終了操作に応じて前記読取端末２から終了信号が入力された場合、又は前記ステップＳ４１で入力された前記配送先識別情報とは異なる前記配送先識別情報が入力された場合に、前記読取作業を終了すると判断し（Ｓ４６：Ｙｅｓ）、処理をステップＳ４７に移行させる。
【０１１７】
＜ステップＳ４７＞
ステップＳ４７において、前記制御部１１は、前記配薬管理情報Ｄ１に基づいて、前記配送先識別情報に対応する同一の前記老健施設Ｂに同時に配送するべき全ての前記薬袋８２から前記第２配薬情報が読み取られたか否かを判定する。ここに、前記ステップＳ４７は、前記制御部１１の前記判定部１１２によって実行される処理である。ここで、前記制御部１１は、前記老健施設Ｂに同時に配送するべき全ての前記薬袋８２から前記第２配薬情報が読み取られたと判定すると（Ｓ４７：Ｙｅｓ）、当該配送時照合処理を終了させて処理を前記ステップＳ４１に移行させる。なお、異なる前記配送先識別情報の入力により
読取終了と判断した場合には、続く前記ステップＳ４１以降において当該配送先識別情報に基づいて同様の処理が実行される。一方、前記制御部１１は、前記老健施設Ｂに同時に配送するべき全ての前記薬袋８２から前記第２配薬情報が読み取られていないと判定すると（Ｓ４７：Ｎｏ）、処理をステップＳ４８に移行させる。
【０１１８】
＜ステップＳ４８＞
ステップＳ４８において、前記制御部１１は、前記ステップＳ４７における判定結果を報知し、処理を前記ステップＳ４３に戻す。具体的に、前記制御部１１は、前記配薬管理情報Ｄ１に基づいて、前記配送先識別情報に対応する前記老健施設Ｂに同時に配送するべき前記薬袋８２のうち前記ステップＳ４３で読み取られていない前記薬袋８２が存在する旨、及びその未読取の前記薬袋８２の情報を前記表示装置１４又は前記読取端末２に表示させる。これにより、前記老健施設Ｂへの前記薬袋８２の配送漏れが抑制される。例えば、前記制御部１１は、前記配送先識別情報に対応する前記老健施設Ｂに同時に配送するべき前記薬袋８２のうち前記ステップＳ４３で読み取られていない前記薬袋８２に対応する服用時期などを前記配送先識別情報と共に表示させる。
【０１１９】
［受取時処理］
次に、図１２のフローチャートを参照しつつ、前記ステップＳ６において前記配薬支援装置５の制御部５１によって実行される受取時処理の手順の一例について説明する。
【０１２０】
＜ステップＳ５１＞
ステップＳ５１において、前記制御部５１は、前記薬袋８２から前記第２配薬情報が読み取られたか否かを判断する。ここで、前記薬袋８２から前記第２配薬情報が読み取られるまでの間は（Ｓ５１：Ｎｏ）、処理が前記ステップＳ５１で待機する。一方、前記薬袋８２から前記第２配薬情報が読み取られたと判断すると（Ｓ５１：Ｙｅｓ）、処理はステップＳ５２に移行する。
【０１２１】
＜ステップＳ５２＞
ステップＳ５２において、前記制御部５１は、前記ステップＳ５１で読み取られた前記第２配薬情報に含まれる前記配送先識別情報と、前記配薬支援装置５が設置されている前記老健施設Ｂを示す情報として前記配薬支援装置５に予め登録された配送先識別情報とが一致するか否かを判定する。ここに、前記ステップＳ５２は、前記制御部５１の前記配送先判定部５１２によって実行される処理である。また、前記ステップＳ５２において、前記制御部５１は、前記ステップＳ５１で読み取られた前記第２配薬情報と、前記ステップＳ５２における判定結果とを読取履歴として前記データ記憶部５２に記憶させる。これにより、前記配薬支援装置５では、前記読取履歴を参照及び出力することが可能である。
【０１２２】
＜ステップＳ５３＞
そして、ステップＳ５３において、前記制御部５１は、前記ステップＳ５２における前記判定結果を報知する。具体的に、前記制御部５１は、前記判定結果を前記表示装置５４又は前記読取端末７に表示させる。ここに、前記ステップＳ５３は、前記制御部５１の前記第２報知部５１３によって実行される処理である。これにより、配薬担当者は、前記判定結果を確認することにより、前記老健施設Ｂが前記薬袋８２の配送先として正しい旨を容易かつ確実に認識することができる。従って、前記薬袋８２の誤配送が抑制される。
【０１２３】
［配薬時照合処理］
次に、図１３のフローチャートを参照しつつ、前記ステップＳ７において前記配薬支援装置５の制御部５１によって実行される配薬時照合処理の手順の一例について説明する。
【０１２４】
＜ステップＳ６１＞
ステップＳ６１において、前記制御部５１は、前記薬包８１から前記第１配薬情報が読み取られたか否かを判断する。ここで、前記薬包８１から前記第１配薬情報が読み取られるまでの間は（Ｓ６１：Ｎｏ）、処理が前記ステップＳ６１で待機する。一方、前記薬包８１から前記第１配薬情報が読み取られたと判断すると（Ｓ６１：Ｙｅｓ）、処理はステップＳ６２に移行する。
【０１２５】
＜ステップＳ６２＞
ステップＳ６２において、前記制御部５１は、前記ステップＳ６１で読み取られた前記第１配薬情報に含まれる前記服用者ＩＤと前記変換情報と前記入居者マスターとに基づいて前記服用者に対応する入居者を特定する。また、前記ステップＳ６２において、前記制御部５１は、前記ステップＳ６１で読み取られた前記第１配薬情報と、前記ステップＳ６２における特定結果とを読取履歴として前記データ記憶部５２に記憶させる。これにより、前記配薬支援装置５では、前記読取履歴を参照及び出力することが可能である。
【０１２６】
＜ステップＳ６３＞
そして、ステップＳ６３において、前記制御部５１は、前記薬包８１の服用時期と、前記ステップＳ６２で特定された前記服用者に対応する入居者の氏名及び顔画像６３と、を前記携帯端末６に表示させる（図４参照）。ここに、前記ステップＳ６３は、前記制御部５１の前記表示制御部５１１によって実行される処理である。これにより、配薬担当者は、前記入居者の顔画像６３を確認することにより、前記入居者が前記薬包８１の薬品を服用する服用者として正しい旨を容易かつ確実に認識することができるため、配薬担当者による配薬ミスが抑制される。また、前記配薬支援システム１０の構成によれば、前記顔画像６３を表示されることにより、前記入居者各々が当該入居者を識別するためのリストバンドなどを装着する必要がないため、前記老健施設Ｂの運営に好適である。なお、前記入居者マスターに、１人の前記入居者について表情又は撮影角度の異なる複数の前記顔画像６３が予め登録されていることも他の実施形態として考えられる。これにより、配薬担当者が前記顔画像６３各々に基づいて前記入居者をより正確に判断することができる。
【０１２７】
［第２実施形態］
前述したように、前記老健施設Ｂで実行される前記ステップＳ７の配薬作業では、配薬担当者により薬品と入居者とが照合されながら配薬が行われる。以下、本実施形態では、配薬担当者による薬品の配薬作業を支援することにより配薬時における人為的ミスの抑制を図る構成について説明する。
【０１２８】
まず、図１４を参照しつつ、本実施形態に係る配薬支援システム１００の構成について説明する。なお、前記配薬支援システム１００について、前記配薬支援システム１０（図１参照）と同様の構成には同じ符号を付しており、その説明を省略する。
【０１２９】
図１４に示すように、前記調剤支援装置１は、ＵＳＢポート１８を備える。前記ＵＳＢポート１８は、ＵＳＢメモリ１９を着脱可能であって、前記ＵＳＢメモリ１９に対するデータの書き込み及び前記ＵＳＢメモリ１９からのデータの読み出しが可能である。なお、前記ＵＳＢメモリ１９に限らず、ＣＤ、ＤＶＤ、ＢＤなどの他の記録メディアを利用することも考えられる。
【０１３０】
また、前記調剤支援装置１では、前記制御部１１が、前記調剤支援プログラムに従って各種の処理を実行することにより配薬データ出力部１１４、残薬情報入力部１１５、及び残薬通知部１１６として機能する。なお、前記配薬データ出力部１１４が配薬データ出力手段の一例、前記残薬情報入力部１１５が残薬情報入力手段の一例、前記残薬通知部１１６が残薬通知手段の一例である。
【０１３１】
前記配薬データ出力部１１４は、前記薬包８１各々に薬品を分包する際に用いられ、前記処方データ記憶部１２１に記憶されている処方データに基づく配薬データを前記ＵＳＢポート１８に出力し、前記ＵＳＢポート１８から前記ＵＳＢメモリ１９に記録させることが可能である。特に、前記配薬データ出力部１１４は、前記配薬データを前記配薬グループの単位で出力することが可能である。具体的に、前記配薬データ出力部１１４は、前記操作装置１５に対するユーザー操作により前記老健施設Ｂが指定された場合に、その老健施設Ｂに入居している入居者各々に対応する処方データを抽出し、その処方データに基づく配薬データを出力可能である。これにより、前記処方データのうち必要な処方データだけを容易に利用することが可能である。
【０１３２】
そのため、前記調剤支援装置１の前記データ記憶部１２には、施設マスター及び入居者マスターが記憶されており、前記配薬データ出力部１１４は、前記施設マスター及び前記入居者マスターに基づいて必要な前記処方データを抽出する。なお、前記配薬データ出力部１１４は、前記配薬データに前記施設マスター及び前記入居者マスターの情報の一部又は全部を付加して出力することも可能である。
【０１３３】
ここに、図１５は、前記施設マスター及び前記入居者マスターの一例を示す図である。なお、前記施設マスター及び前記入居者マスター各々の登録作業は、例えば前記調剤支援装置１の初期設定又はマスターメンテナンスなどにおいて、前記調剤支援装置１の前記表示装置１４及び前記操作装置１５などを用いて行われる。
【０１３４】
図１５に示すように、前記施設マスターには、前記老健施設Ｂごとに対応する施設コード、施設名称、及び印字フォーマットが関連付けて記憶されている。前記施設コード及び前記施設名称は、前記老健施設Ｂを識別するための識別情報の一例であって、前記印字フォーマットは、前記薬品分包装置３において前記薬包８１に印刷する項目のフォーマットの種類を識別するための情報である。なお、前記施設コードは、例えば前記配送先ＩＤ（図２参照）と同一である。
【０１３５】
また、図１５に示すように、前記入居者マスター各々は、前記施設マスターに登録されている前記老健施設Ｂ各々に関連付けて記憶される。具体的に、前記入居者マスターには、入居者ごとに対応する服用者ＩＤ、服用者名、入居者ＩＤ、グループ、及び印字フォーマットが記憶されている。前記服用者ＩＤ、前記服用者名、及び前記入居者ＩＤは前記老健施設Ｂに入居する入居者を識別するための識別情報の一例である。特に、前記服用者ＩＤは、前記薬局Ａ側の前記調剤支援装置１などにおいて前記入居者（服用者）を識別するために予め登録される識別情報であり、前記入居者ＩＤは、前記老健施設Ｂ側の前記配薬支援装置５などにおいて前記入居者を識別するために予め登録される識別情報である。例えば、前記マスター記憶部５２１に記憶されている前記入居者マスターが前記老健施設Ｂ側から前記薬局Ａ側に提供されることにより、前記薬局Ａ側で前記調剤支援装置１の前記入居者マスターに前記入居者ＩＤが登録される。なお、前記入居者マスターにおける前記服用者ＩＤと前記入居者ＩＤとの対応関係は、前記配薬支援装置５で用いられる前記変換情報における前記服用者ＩＤと前記入居者ＩＤとの対応関係と同じである。
【０１３６】
また、前記グループは、前記老健施設Ｂにおける病棟、病室、又はフロアなどにより一連の配薬グループとして分類されたグループを識別するための識別情報である。なお、前記老健施設Ｂでは、入居者への配薬作業が前記グループごとに行われる。さらに、前記印字フォーマットは、前記薬品分包装置３において前記薬包８１及び前記薬袋８２などに印刷する項目及び配置などのフォーマットの種類を識別するための情報である。なお、前記入居者マスターに登録された前記印字フォーマットは、例えば前記施設マスターにおいて前記印字フォーマットが登録されている場合でも優先的に採用される。
【０１３７】
このように構成された前記配薬支援システム１００では、前記調剤支援装置１において、前記服用者ＩＤと前記入居者ＩＤとの対応関係を把握することが可能である。そのため、前記制御部１１が、前記第１配薬情報に含まれる前記服薬者ＩＤに代えて又は前記服薬者ＩＤと共に、前記入居者ＩＤを前記薬品分包装置３によって前記薬包８１に印刷させることが考えられる。
【０１３８】
また、前記残薬情報入力部１１５は、前記配薬支援装置５において後述の残薬情報出力部５１６によって出力される残薬情報を入力可能である。例えば、前記残薬情報入力部１１５は、前記ネットワークＮ１及び前記ネットワークＮ２などを介して、前記残薬情報の送信を前記配薬支援装置５に要求し、前記配薬支援装置５から送信される前記残薬情報を取得する。また、前記残薬情報入力部１１５は、前記ＵＳＢメモリ１９などの記録媒体から前記残薬情報を読み取って入力することも可能であり、前記配薬支援装置５からメールなどによって送信された前記残薬情報を入力することも可能である。
【０１３９】
前記残薬通知部１１６は、前記残薬情報入力部１１５により入力された前記残薬情報と前記処方データとに基づいて、前記処方データに含まれる処方薬として使用可能な残薬の情報を通知可能である。例えば、前記残薬通知部１１６は、前記処方データの発行処理（図４のステップＳ１）において、調剤対象の前記処方データで使用可能な残薬が存在する旨の注意喚起を表示することが可能である。なお、前記調剤支援装置１では、前記制御部１１が、前記操作装置１５のユーザー操作に応じて任意のタイミングで前記表示装置１４などに前記残薬情報を表示させることも可能である。また、前記残薬通知部１１６は、前記残薬情報を前記調剤支援装置１に通信可能に接続された前記電子カルテシステム又は前記処方入力端末などの上位システム（不図示）に送信することも可能である。これにより、前記上位システムを使用する医師に前記残薬情報を通知して前記処方データの修正などを促すことができ、薬品の無駄を抑制することが可能である。なお、前記薬局Ａ側の薬剤師が、前記調剤支援装置１で表示される前記残薬情報を参照し、残薬の量を医師に連絡して、新たな処方入力時に残薬を除いた処方入力を促すこと、又は入力済みの処方から残薬を除く修正（再発行）を促すことが可能である。
【０１４０】
一方、図１４に示すように、前記配薬支援装置５は、ＵＳＢポート５８を備える。前記ＵＳＢポート５８は、前記ＵＳＢメモリ１９が着脱可能であり、前記ＵＳＢメモリ１９に対するデータの書き込み及び前記ＵＳＢメモリ１９からのデータの読み出しが可能である。
【０１４１】
また、前記配薬支援装置５では、前記データ記憶部５２に配薬データ記憶部５２３が含まれる。前記配薬データ記憶部５２３には、前記調剤支援装置１から出力され、前記ＵＳＢポート５８によって前記ＵＳＢメモリ１９から読み出される前記配薬データが記憶される。
【０１４２】
また、前記配薬支援装置５では、前記制御部５１が、前記配薬支援プログラムに従って各種の処理を実行することにより配薬データ入力部５１４、服薬完了入力部５１５、及び残薬情報出力部５１６として機能する。なお、前記配薬データ入力部５１４が配薬データ入力手段の一例、前記服薬完了入力部５１５が服薬完了入力手段の一例、前記残薬情報出力部５１６が残薬情報出力手段の一例である。
【０１４３】
前記配薬データ入力部５１４は、前記調剤支援装置１により出力された前記配薬データを、薬品の配送先である前記老健施設Ｂに設けられた前記配薬支援装置５に入力することが可能である。具体的に、前記配薬データ入力部５１４は、前記操作装置５５のユーザー操作に応じて、前記ＵＳＢポート５８に接続される前記ＵＳＢメモリ１９から前記配薬データを読み出すことにより前記配薬データを前記配薬支援装置５に入力する。
【０１４４】
前記服薬完了入力部５１５は、前記表示装置５４又は前記携帯端末６により後述の入居者一覧画面２１１（図２３参照）に表示された服用者ごとの服薬完了の入力操作を受け付ける。具体的に、前記服薬完了入力部５１５は、前記操作装置５５又は前記携帯端末６に対する前記服用者の服薬完了の入力操作を受け付ける。
【０１４５】
前記残薬情報出力部５１６は、前記服用者が服用しなかった残薬に関する残薬情報の入力操作を受け付けると共に、前記残薬情報を出力可能である。具体的に、前記残薬情報出力部５１６は、前記操作装置５５又は前記携帯端末６に対する前記残薬情報の入力操作を受け付ける。そして、前記残薬情報出力部５１６は、前記残薬情報を前記データ記憶部５２に記憶すると共に、前記ネットワークＮ１及び前記ネットワークＮ２などを介して前記調剤支援装置１に送信出力する。
【０１４６】
また、前記配薬支援装置５では、前記制御部１１が前記操作装置５５又は前記携帯端末６のユーザー操作に応じて初期設定情報として前記老健施設Ｂ及び入居者の情報を登録可能である。ここに、図１６は施設登録画面の一例を示す図、図１７は入居者登録画面の一例を示す図である。
【０１４７】
図１６に示すように、前記制御部１１は、前記操作装置５５のユーザー操作に応じて、施設コード及び施設名称を登録するための施設登録画面を表示させる。前記施設登録画面では、前記施設コード及び前記施設名称が入力された後、登録キーが操作されることにより、それらの情報が施設マスターとして前記マスター記憶部５２１に記憶される。なお、前記施設コード及び前記施設名称は、前記調剤支援装置１の前記施設マスター（図１５参照）に登録される施設コード及び施設名称と同じである。
【０１４８】
また、図１７に示すように、前記制御部１１は、前記操作装置５５のユーザー操作に応じて、入居者の情報を登録するための入居者登録画面を表示させる。具体的に、前記入居者登録画面では、入居者ＩＤ、入居者の名前、仮名、生年月日、性別、管理区分、グループ、部屋コード、コメント、及び顔画像（写真）の入力が可能である。前記管理区分では、例えば、薬品の服用を自己で管理する自己管理であるか否かなどが選択される。前記管理区分には、服薬時の配薬及び服薬の有無の確認が必要である「服薬確認要」、所定期間の薬品が服用者に預けられ、服薬時の配薬は不要であるが服薬の有無の確認が必要である「服薬確認要（自己管理）」、及び所定期間の薬品が服用者に預けられ、服薬時の配薬及び服用の確認が共に不要である「服薬確認不要（自己管理）」などが含まれる。前記コメントには、入居者について注意すべき事項などが任意に記載可能であり、前記コメントは後述の入居者確認画面２１３（図２５参照）に表示可能である。また、顔画像（写真）の入力手法としては、予め撮影された写真を一覧から選択して取り込む取込入力、及び入居者の情報を登録する際に前記携帯端末６の前記カメラ６２を用いて撮影する撮影入力がある。そして、前記入居者登録画面では、入居者の情報が入力された後、登録キーが操作されることによりそれらの情報が前記入居者マスターとして前記マスター記憶部５２１に記憶される。なお、入居者の情報に含まれる入居者ＩＤ、入居者の名前（仮名）、及びグループなどは、前記調剤支援装置１の前記入居者マスター（図１５参照）に登録される入居者ＩＤ、服用者名、及びグループと同じである。また、前記入居者登録画面において、データキーが操作された場合には、前記制御部１１は、その後の操作に応じて入居者の情報のインポート又はエクスポートを実行する。
【０１４９】
以下、このように構成された前記配薬支援システム１００において実行される各種の処理について説明する。なお、前記配薬支援システム１００においても、前記薬品分包処理（図８参照）、前記収容時照合処理（図１０参照）、前記配送時照合処理（図１１参照）、及び前記受取時処理（図１２参照）などが実行される。
【０１５０】
［処方データの発行処理］
まず、図１８を参照しつつ、前記配薬支援システム１００で実行される前記処方データ発行処理について説明する。なお、前記処方データの発行処理について、図５で説明した処理手順と同様の処理手順については同じ符号を付しており、その説明を省略する。
【０１５１】
＜ステップＳ１１１＞
図１８に示すように、前記ステップＳ１１において前記処方データの発行操作が行われると、続くステップＳ１１１において、前記制御部１１は、前記残薬情報を入力するための残薬情報入力処理を実行する。ここに、前記ステップＳ１１１は、前記制御部１１の前記残薬情報入力部１１５によって実行される。
【０１５２】
例えば、前記ステップＳ１１１では、前記制御部１１が、前記ネットワークＮ１及び前記ネットワークＮ２などを介して前記配薬支援装置５に前記残薬情報の送信を要求する。そして、前記制御部１１は、前記配薬支援装置５から前記ネットワークＮ１及び前記ネットワークＮ２などを介して送信される前記残薬情報を受信する。なお、前記配薬支援装置５から予め設定された期間ごと又は予め定められたタイミングで自動的に前記残薬情報が前記ネットワークＮ１及び前記ネットワークＮ２などを介して送信され、前記残薬情報入力部１１５が前記残薬情報を取得することも考えられる。また、前記配薬支援装置５において前記ＵＳＢメモリ１９などの記録媒体に前記残薬情報が記録され、前記調剤支援装置１において前記ＵＳＢメモリ１９などの記録媒体から前記残薬情報が読み出されることも考えられる。これにより、前記ネットワークＮ１及び前記ネットワークＮ２を介した連携を伴うことなく前記残薬情報を前記調剤支援装置１で活用することが可能となる。
【０１５３】
＜ステップＳ１１２＞
次に、ステップＳ１１２において、前記制御部１１は、前記ステップＳ１１１で取得した前記残薬情報と前記処方データとに基づいて、前記処方データに含まれる処方薬として使用可能な残薬の情報を通知する。ここに、前記ステップ１１２は、前記制御部１１の前記残薬通知部１１６によって実行される。また、前記制御部１１は、前記ステップＳ１１２において、前記処方データにおける処方日が、前記残薬情報に含まれる残薬の有効期限内であるか否かを判断し、前記有効期限内であるか否かを前記表示装置１４などに表示させることも考えられる。
【０１５４】
例えば、前記ステップＳ１１２では、前記制御部１１が、前記残薬情報と前記処方データとに基づいて、前記処方データのうち前記残薬情報において残薬として存在するため分包が不要な薬品を判断する。そして、前記残薬として存在する薬品の情報を前記表示装置１４などに表示させる。これにより、前記表示装置１４を参照する薬剤師などが、前記残薬を利用可能である旨を容易に認識することが可能であり、例えば医師への前記処方データの修正照会を行うことにより薬品の無駄を抑制することが可能になる。具体的には、前記残薬情報を確認した上で服用日数又は服用回数などが調整されることが考えられる。
【０１５５】
なお、このとき医師が、前記処方データから前記残薬を使用可能な服用時期又は薬品を除いた場合には、前記残薬を使用することが前提になるため、前記老健施設Ｂに配送される薬品が不足した状態となる。そこで、例えば前記ステップＳ１２における前記分包データの生成時に、前記残薬の存在により分包対象から除かれた薬品についても空の前記薬包８１が発行されるように前記分包データが生成されることが考えられる。具体的には、前記分包データのうち前記残薬の存在により分包対象から除かれた薬品に対応する分包データに、その服用時期と、その服用時期に使用する残薬を特定するための残薬特定情報（例えば、服用時期など）とが含まれることが考えられる。
【０１５６】
そして、前記薬品分包装置３では、残薬を使用する前記服用時期及び前記残薬特定情報が空の前記薬包８１に印刷される。例えば、空の前記薬包８１には、「△月△日夕食後は、○月○日夕食後の薬品を服用して下さい」などのメッセージが表示されることが考えられる。これにより、前記老健施設Ｂでは、空の前記薬包８１を参照することにより前記服用時期ごとに使用するべき残薬を判断することが可能である。なお、前記残薬が使用可能であるか否かの判断は、前記服用時期ごとに行われること、即ち前記薬包８１の単位で行われることが考えられる。これにより、前記薬包８１内の薬品と残薬として残っている薬品とを合わせて服用する必要がなく、配薬ミスの発生を抑制することができる。また、前記分包データの生成時に、分包対象から除かれた薬品に関する情報が前記操作装置１５の操作入力によって入力されることが考えられる。さらに、前記調剤支援装置１の前記制御部１１が、前記残薬を使用する旨の修正が医師によって行われた場合に、その修正前後の前記処方データに基づいて、分包対象から除かれた薬品の服用時期などを判断することも考えられる。
【０１５７】
＜ステップＳ１４＞
その後、ステップＳ１４において、前記制御部１１は、前記老健施設Ｂ側で利用される配薬データの出力操作を待ち受ける（Ｓ１４：Ｎｏ側）。具体的に、前記制御部１１は、前記操作装置１５に対するユーザー操作によって前記配薬データの出力操作が実行されたか否かを判断する。ここで、前記配薬データの出力操作が行われたと判断すると（Ｓ１４：Ｙｅｓ側）、処理はステップＳ１５に移行する。
【０１５８】
＜ステップＳ１５＞
ステップＳ１５において、前記制御部１１は、前記ステップＳ１１で発行操作が行われた前記処方データに基づいて前記配薬データを生成し、前記配薬データを前記ＵＳＢポート１８に出力して前記ＵＳＢメモリ１９に記録する。即ち、前記制御部１１は、前記処方データ及び前記分包データと同様に、前記配薬グループである前記老健施設Ｂ又は前記グループなどの単位で前記配薬データを出力する。これにより、前記薬包８１及び前記薬袋８２等と共に前記ＵＳＢメモリ１９を前記配薬支援装置５に配送することにより、前記ＵＳＢメモリ１９に記憶されている前記配薬データを前記配薬支援装置５で利用し、配薬担当者による配薬作業の効率化及び配薬ミスの抑制を図ることが可能となる。また、前記ステップＳ１１で発行操作が行われた前記処方データを対象として前記配薬データが生成されるため、前記配薬データを生成するための抽出条件などを再度設定する手間が軽減され、また、調剤対象であって前記処方データと異なる前記配薬データが生成されることが防止される。
【０１５９】
前記配薬データには、入居者ＩＤ、入居者（服用者）名、グループ、仮名、薬品コード（ＹＪコード）、薬品名、服用日、服用時期（用法）、用量、剤形、一包化区分、副作用関連情報、及び頓服の１日最大用量（最大回数）などが含まれる。ここに、前記一包化区分は、同じ前記薬包８１内に分包される薬品を識別するための区分である。前記副作用関連情報は、薬品の添付文書に記載されている副作用に関する情報、又は前記薬局Ａなどにおいて予め薬品に対応付けて任意に登録された副作用に関する情報などである。なお、前記配薬支援システム１００では、前記薬局Ａ側の前記調剤支援装置１においても前記配薬支援装置５側で管理される入居者ＩＤ及びグループなどの情報が前記入居者マスターに登録される。そのため、前記制御部１１は、前記入居者マスターを参照して前記入居者ＩＤ及び前記グループなどの情報を前記配薬データに付加して出力することが可能である。これにより、複数の前記薬局Ａと複数の前記老健施設Ｂとの間で薬品の授受が行われる場合でも、前記配薬支援装置５が、前記配薬データに基づいて入居者を特定することが可能である。なお、前記配薬データに前記服用者ＩＤが含まれており、前記老健施設Ｂ各々において前記配薬支援装置５が前記服用者ＩＤと前記入居者ＩＤとの対応関係（前記変換情報）に基づいて前記服用者ＩＤに対応する入居者を判断することも他の実施形態として考え
られる。
【０１６０】
ここに、図１９は、前記老健施設Ｂ１で利用される配薬データの一例を示す図である。図１９に示すように、前記配薬データには、前記分包データ（図６参照）に加えて、入居者ＩＤ、入居者（服用者）名、グループ、剤形、一包化区分が含まれている。なお、前記一包化区分について、図１９に示す例では、「湯山一郎」の医薬品Ｍ１と医薬品Ｍ３とは共に一包化区分が「１」であり同じ前記薬包８１に分包されることが示されており、「湯山三郎」の医薬品Ｍ７と医薬品Ｍ８とは一包化区分が「１」、「２」であって異なる前記薬包８１に分包されることを示している。また、図１９では省略しているが、前述したように、前記配薬データには、副作用関連情報及び頓服の１日最大用量（最大回数）なども含まれる。
【０１６１】
なお、前記ＵＳＢメモリ１９は、前記配薬データの移動に利用される記録媒体の一例であって、前記ＵＳＢメモリ１９に代えて他のフラッシュメモリ又はハードディスクドライブなどの各種の記録媒体を用いることが可能である。また、本実施形態では、前記ＵＳＢメモリ１９のような記録媒体を用いて前記配薬データを移動可能な構成について説明するが、前記配薬データを前記配薬支援装置５に伝達することができればその手法はこれに限らない。例えば、前記配薬データ出力部１１４が、前記配薬データを前記通信インターフェース１３に出力し、前記通信インターフェース１３からインターネット等の前記ネットワークＮ１を通じて前記配薬支援装置５に送信出力な構成も考えられる。なお、前記配薬データ出力部１１４は、前記配薬データに対応する前記処方データを前記配薬支援装置５に送信出力することが可能な構成も考えられる。
【０１６２】
さらに、前記制御部１１は、前記調剤支援装置１及び前記配薬支援装置５が前記ネットワークＮ１及び前記ネットワークＮ２などを介して通信可能に接続されたサーバーなどの記憶部に前記配薬データを出力して記憶させることも考えられる。即ち、前記調剤支援装置１及び前記配薬支援装置５がクラウド上で前記配薬データを共有する構成が考えられる。これにより、前記配薬支援装置５の前記制御部５１は、前記サーバーなどの記憶部から前記配薬データを読み出して入力することが可能となる。また、前記薬品分包装置３において服用時期各々に対応する前記薬包８１が連続する前記薬包シートが服用者ごとに出力され、その薬包シートに検薬用の情報が印刷される前記薬包８１が付加される場合などには、その薬包８１に当該服用者に関する前記配薬データを示す一次元コード又は二次元コードなどのコードが印刷出力されることが考えられる。これにより、前記配薬支援装置５において、前記制御部５１が、前記検薬用の前記薬包８１から前記コードを読み取ることにより、服用者ごとに前記配薬データを入力することが可能となる。なお、前記コードは、前記薬包８１に限らず、例えば前記薬包８１と共に配送される紙媒体に印刷されることも考えられる。前記コードに含まれる前記配薬データには、当該服用者に対応する今回の前記配薬データにおける最初の服用時期である服用開始時期及び最後の服用時期を示す服用終了時期も含まれる。また、前記配薬データに代えて当該服用者に対応する前記処方データ（例えば、薬品名、用法、用量、服用開始日、服用終了日など）が前記検薬用の前記薬包８１に印刷出力される前記コードに含まれることも考えられる。
【０１６３】
また、前記調剤支援装置１では、前述したように残薬の使用を前提とする前記処方データに基づいて前記分包データが生成された場合には、前記制御部１１が、その残薬の服用時期と新たな服用時期との関係を示す前記残薬特定情報を含む前記配薬データを出力することが考えられる。そして、前記配薬支援装置５では、前記制御部５１が、残薬に対応する前記薬包８１に付されている前記コード８１１が読み取られた場合に、前記残薬特定情報を参照して前記薬包８１に対応する服用時期を新たな服用時期として認識する。これにより、残薬を使用する場合にも、前記配薬支援システム１００において、前記薬包８１に対応する服用時期及び入居者などを照合すること、又は前記入居者の服用の有無などを管
理することが可能となる。
【０１６４】
なお、ここでは、図１８に示した処方データ発行処理において前記分包データが出力されるタイミングで前記配薬データが出力可能な構成について説明したが、前記制御部１１は、前記配薬データを、任意のタイミングで前記操作装置１５の操作などに応じて出力することも可能である。具体的に、前記制御部１１は、前記処方データ記憶部１２１に記憶されている前記処方データのうち出力対象となる処方データを抽出するための抽出条件の設定操作を待ち受ける。例えば、前記調剤支援装置１では、前記制御部１１が、前記操作装置１５に対する設定開始操作に応じて、前記表示装置１４に前記抽出条件を設定するための設定画面を表示する。そして、前記制御部１１は、前記設定画面に従った前記操作装置１５の操作に応じて前記抽出条件を設定する。例えば、前記施設コード、前記施設名称、前記グループ、前記服用者ＩＤ、前記服用者名、及び前記入居者ＩＤのうち一又は複数の条件が設定可能である。ここで、前記抽出条件が設定されたと判断すると、前記制御部１１は、前記処方データ記憶部１２１に記憶されている前記処方データに基づいて前記抽出条件に対応する前記配薬データを生成する。
【０１６５】
具体的に、前記施設コードが選択された場合には、前記処方データ記憶部１２１に記憶されている前記処方データから、前記施設コードに対応する前記老健施設Ｂに入居している服用者各々の処方データが抽出される。また、前記抽出条件として前記グループが選択された場合には、前記処方データ記憶部１２１に記憶されている前記処方データから、前記グループに属する服用者各々の処方データが抽出される。そして、前記制御部１１は、前記処方データのうち予め定められた一部又は全部の項目を前記配薬データとして抽出する。これにより、前記処方データのうち前記配薬データとして不要な情報を省略することによりデータ量を減少させ、又は前記服用者の個人情報の利用を最小限に抑制しつつ前記処方データを利用することが可能である。その後、前記制御部１１は、前記ステップＳ１５と同様に前記配薬データを出力する。これにより、前記調剤支援装置１では、前記処方データの発行タイミングに限らず任意のタイミングで前記配薬データを出力することが可能である。
【０１６６】
［配薬時照合処理］
次に、図２０のフローチャートを参照しつつ、前記配薬支援システム１００において前記配薬支援装置５の制御部５１によって実行される配薬時照合処理について説明する。
【０１６７】
＜ステップＳ８１＞
ステップＳ８１において、前記制御部５１は、前記操作装置５５又は前記携帯端末６に対して予め定められた配薬開始操作が行われたか否かを判断する。ここで、前記配薬開始操作が行われたと判断すると、処理がステップＳ８２に移行し、前記配薬開始操作が行われていない場合には、処理がステップＳ８１１に移行する。
【０１６８】
ところで、前記配薬開始操作では、予め定めた職員などの配薬担当者のログイン操作が行われることが考えられる。この場合、前記データ記憶部５２には、前記配薬担当者各々の識別コード及びパスワードなどが設定されていることが考えられる。例えば、前記制御部５１は、前記配薬開始操作が行われた後、前記読取端末７によって前記配薬担当者が有する名札などに記載された一次元コード又は二次元コード等のコードが読み取られ、そのコードの情報が前記配薬担当者の識別コードと一致する場合に、その配薬担当者をログインさせることが考えられる。さらに、前記制御部５１は、前記識別コードが読み取られた後、その識別コードに対応する前記パスワードが入力された場合に、そのパスワードを照合してから前記配薬担当者をログインさせることも考えられる。これにより、前記制御部５１は、前記配薬担当者ごとに当該配薬時照合処理で表示させる情報を制限すること、又は前記配薬担当者ごとに当該配薬時照合処理で表示させる入居者の範囲（例えば自己担当
の入居者のみ）を変更することなどが可能になる。
【０１６９】
＜ステップＳ８１１〜Ｓ８１２＞
ステップＳ８１１〜ステップＳ８１２では、前記調剤支援装置１から出力された前記配薬データを入力するための入力処理が実行される。ここに、前記ステップＳ８１１〜Ｓ８１２は、前記配薬データ入力部５１４によって実行される。
【０１７０】
具体的に、まずステップＳ８１１において、前記制御部５１は、前記配薬データの入力タイミングを待ち受ける（Ｓ８１１：Ｎｏ側）。例えば、前記制御部５１は、前記ＵＳＢメモリ１９が前記ＵＳＢポート５８に装着され、前記操作装置５５に対するユーザー操作が行われた場合に、前記配薬データの入力タイミングであると判断する。また、前記制御部５１は、前記通信インターフェース５３により前記ネットワークＮ２などを介して前記配薬データが受信された場合にも、前記配薬データの入力タイミングであると判断する。そして、前記配薬データの入力タイミングが到来したと判断すると（Ｓ８１１：Ｙｅｓ側）、処理はステップＳ８１２に移行する。
【０１７１】
ステップＳ８１２において、前記制御部５１は、前記配薬データを前記調剤支援装置１に入力する。例えば、前記制御部５１は、当該配薬時照合処理を実行するために必要な情報を予め定められたデータベース形式に従って前記配薬データ記憶部５２３に記憶する。これにより、前記配薬支援装置５では、前記調剤支援装置１における調剤時に用いられていた前記配薬データを利用して各種の処理を実行することが可能となる。
【０１７２】
＜ステップＳ８２＞
一方、前記ステップＳ８１において、前記操作装置５５又は前記携帯端末６に対して予め定められた配薬開始操作が行われたと判断した場合、続くステップＳ８２において、前記制御部５１は配薬担当者が配薬時に参照する初期画面２１０（第１表示画面の一例）を表示させる。具体的に、前記制御部５１は、前記操作装置５５により前記配薬開始操作が行われた場合には、前記表示装置５４に前記初期画面２１０を表示させる。また、前記制御部５１は、前記携帯端末６により前記配薬開始操作が行われた場合には、前記携帯端末６の表示部に前記初期画面２１０を表示させる。なお、これ以降の処理についても同様に、前記操作装置５５による操作は前記表示装置５４の表示に反映され、前記携帯端末６における操作は前記携帯端末６の表示部の表示に反映される。
【０１７３】
ここに、図２１は、前記初期画面２１０の一例である。図２１に示すように、前記制御部５１は、前記配薬データに基づいて、これから服用する服用時期を選択するための選択キーが表示される。具体的に、図２１に示す例では、前記制御部５１が、本日に対応する服用時期が選択候補として前記初期画面２１０に表示される。前記初期画面２１０では、朝食、昼食、夕食ごとに「前」、「後」、「間」がツリー表示されており、配薬担当者が目的の服用時期を見つけやすい。なお、前記初期画面２１０の前段で服用日時が選択可能な構成も他の実施形態として考えられる。
【０１７４】
また、図２１に示すように、前記制御部５１は、前記初期画面２１０において、服用すべき薬品が存在する服用時期と、服用すべき薬品が存在しない服用時期とを異なる表示態様で表示させる。これにより、配薬担当者は、服用時期ごとにおける服用すべき薬品の存在の有無を容易に判断することが可能である。なお、図２１における服用時期の背景模様の違いが表示態様に差があることを示している。例えば、服用すべき薬品が存在する服用時期（図２１の夕食後、夕食間など）はハイライト表示し、服用すべき薬品が存在しない服用時期（図２１の朝食前、朝食後、朝食間など）はハイライト表示しないことが考えられる。また、服用すべき薬品が存在する服用時期の表示色と、服用すべき薬品が存在しない服用時期の表示色とが異なることも考えられる。さらに、服用すべき薬品が存在する服
用時期の表示サイズが大きく、服用すべき薬品が存在しない服用時期の表示サイズが小さいことも考えられる。
【０１７５】
さらに、図２１に示すように、前記制御部５１は、前記初期画面２１０において、現在時刻に最も近い服用時期を他の服用時期とは異なる表示態様で表示させることが考えられる。これにより、配薬担当者による服用時期の選択ミスを抑制すると共に、選択する服用時期を探す手間を軽減することができる。なお、このような表示処理を実現するため、前記配薬支援装置５では、前記データ記憶部５２に、服用時期ごとに対応する服用時期名、服用時刻、服用時期コード、及び服用区分などの服用時期情報が予め記憶されている。これにより、前記制御部５１は、前記服用時期情報に基づいて、現時点で服用するべき服用時期を判断することが可能である。前記服用時期コードは、前記薬包８１に印刷される前記服用時期コードと同じ内容を示す情報であり、前記調剤支援装置１及び前記配薬支援装置５において共通で用いられる統一された情報である。なお、前記制御部５１は、前記配薬支援装置５の初期設定などにおいてユーザー操作に応じて前記服用時期情報を変更可能である。
【０１７６】
ところで、図２１では、服用時期がツリー表示された初期画面２１０が示されているが、服用時期を選択するための初期画面２１０の他の例として、例えば図２２に示すように、服用時期各々が個別に配列して表示されることも考えられる。さらに、前記制御部５１が、前記操作装置５５又は前記携帯端末６の操作に応じて、前記初期画面２１０における前記服用時期各々の表示位置、表示サイズ、及び表示色を予め任意に設定可能な構成が考えられる。また、前記制御部５１が、前記操作装置５５又は前記携帯端末６の操作に応じて、前記初期画面２１０に表示される前記服用時期の種類を予め任意に設定可能な構成も考えられる。これにより、例えばユーザーが前記初期画面２１０を任意にカスタマイズして自己にとって見やすい画面構成にすること、又は前記初期画面２１０における不要な情報の表示を排除することが可能である。
【０１７７】
また、前記老健施設Ｂでは、特定の前記薬局Ａのみならず他の薬局からも薬品が持ち込まれ、その薬品の配薬の管理が行われることが考えられる。そのため、前記配薬支援装置５では、前記制御部５１が、複数の前記薬局Ａから取得する前記配薬データを合成することも可能である。また、前記配薬支援装置５では、前記制御部５１が、前記操作装置５５又は前記携帯端末６の操作に応じて前記配薬データを任意に入力可能な構成が考えられる。具体的に、前記制御部５１は、前記操作装置５５の操作に応じて、入居者、医療機関、医師、用法（服用時期）、薬品の種類、用量、及びコメントなどの情報を登録するための登録画面を表示させ、その登録画面に入力された情報を前記配薬データとして入力する。
【０１７８】
＜ステップＳ８３＞
そして、ステップＳ８３において、前記制御部５１は、服用対象となる服用時期の選択を待ち受ける（Ｓ８３：Ｎｏ側）。ここで、服用時期が選択されたと判断すると（Ｓ８３：Ｙｅｓ側）、処理がステップＳ８４に移行する。
【０１７９】
具体的に、前記制御部５１は、前記初期画面２１０における服用時期を選択するための操作が前記操作装置５５又は前記携帯端末６の操作部によって行われた場合に服用時期が選択されたと判断する。また、前記制御部５１は、前記携帯端末６又は前記読取端末７により、服用時期ごとに対応する前記薬包８１が収容された配薬ボックスに予め付されている服用時期を示す一次元コード又は二次元コード等のコードが読み取られた場合に、その服用時期が選択されたと判断することが考えられる。
【０１８０】
ところで、前記配薬支援システム１００が、複数の服用者の各服用時期に対応する前記薬包８１などの薬品を各服用時期に対応する前記配薬ボックスに自動的に収容する自動収
容装置を備える構成も考えられる。これにより、複数の服用者に処方される薬品が服用時期ごとに纏めて前記配薬ボックスに自動的に収容されるため、前記薬局Ａ又は前記老健施設Ｂで前記薬包８１を前記配薬ボックスに収容する手間が省略される。なお、前記自動収容装置は、前記薬品分包装置３に搭載されるものであってもよい。ところで、前記配薬ボックスは、例えば区画された複数の収容部を備えるボックスであるが、所謂ブリスターパックであってもよい。前記ブリスターパックとは、一面が開放された包装領域を複数有する包装部材を平板状の部材に接合することにより閉鎖された複数の包装部が形成される収容部材である。また、前記ブリスターパックでは、前記包装部各々を容易に切り離すための切り取り点線（ミシン目）が形成されている。
【０１８１】
ここで、前記制御部５１は、前記ステップＳ８３で選択された服用時期が、前記配薬支援装置５で計時される現在日時に対応する適正な服用時期であるか否かを判断し、適正でない場合にその旨を報知可能である。具体的に、前記配薬支援装置５では、前記服用時期ごとに対応する服用時刻又は服用時間帯が予め設定されて前記データ記憶部５２に記憶されている。例えば、服用時期「昼食後」に対応する服用時刻が「１３時」に設定され、服用時期「昼食間」に対応する服用時刻が「１５時」に設定され、服用時期「夕食前」に対応する服用時間帯が「１８時」に設定されていることが考えられる。この場合、前記制御部５１は、現在時刻が、前記ステップＳ８３で選択された前記服用時期に対応する前記服用時刻から前後３０分のような所定の許容範囲内であるか否かを判断することが考えられる。なお、現在時刻には、例えば前記配薬支援装置５のシステムクロックとして計時されている時刻、又は前記ネットワークＮ２などを介して所定の時刻報知機関から取得可能な時刻が用いられる。また、服用時期「昼食後」に対応する服用時間帯が「１２時３０分〜１３時」に設定され、服用時期「昼食間」に対応する服用時間帯が「１５時〜１６時」に設定され、服用時期「夕食前」に対応する服用時間帯が「１８時３０分〜１９時」に設定されていることが考えられる。この場合、前記制御部５１は、現在時刻が、前記ステップＳ８３で選択された前記服用時期に対応する前記服用時間帯であるか否かを判断することが考えられる。
【０１８２】
さらに、前記制御部５１が、前記初期画面２１０において選択される服用時期と、前記携帯端末６又は前記読取端末７で読み取られた前記配薬ボックスに付された一次元コード又は二次元コード等のコードの服用時期とを照合可能であり、照合結果が不一致である場合にその旨を報知可能な構成も考えられる。この場合、前記配薬支援装置５では、前記制御部５１が、前記操作装置５５の操作に応じて、例えば服用日時、服用時期、及びグループなどの前記配薬ボックスに貼付する情報を含む一次元コード又は二次元コード等のコードを任意のプリンタによってラベルなどに印刷可能であることが考えられる。また、前記制御部５１が、前記初期画面２１０の表示前に選択される服用日時と、前記携帯端末６又は前記読取端末７で読み取られた前記配薬ボックスに付された前記コードの服用日時とを照合可能であり、照合結果が不一致である場合にその旨を報知可能な構成も考えられる。同じく、前記制御部５１が、前記初期画面２１０に表示されるグループと、前記携帯端末６又は前記読取端末７で読み取られた前記配薬ボックスに付された前記コードのグループとを照合可能であり、照合結果が不一致である場合にその旨を報知可能な構成も考えられる。
【０１８３】
＜ステップＳ８４＞
ステップＳ８４において、前記制御部５１は、入居者の一覧が表示される入居者一覧画面２１１（第２表示画面の一例）を前記表示装置５４又は前記携帯端末６の表示部に表示させる。ここに、図２３は、前記入居者一覧画面２１１の一例を示す図である。具体的に、前記制御部５１は、前記マスター記憶部５２１に記憶されている前記入居者マスターと前記配薬データ記憶部５２３に記憶されている前記配薬データとに基づいて前記入居者一覧画面２１１を表示させる。
【０１８４】
特に、図２３に示すように、前記制御部５１は、前記入居者一覧画面２１１において、前記ステップＳ８３で選択されたと判断した服用時期に服用する薬品が存在する入居者と、その服用時期に服用する薬品が存在しない入居者とを異なる表示態様で表示させる。即ち、前記制御部５１は、前記ステップＳ８１〜Ｓ８４を実行することにより、前記入居者各々と前記服用時期各々との関係を表示させることが可能である。ここに、係る表示処理は前記表示制御部５１１によって実行され、前記表示制御部５１１が処方表示手段の一例である。特に、前記ステップＳ８１〜Ｓ８２において前記服用時期を選択するための前記初期画面２１０を表示させるときの前記表示制御部５１１が第１表示処理手段の一例であり、前記ステップＳ８３〜Ｓ８４において前記初期画面２１０における前記服用時期の選択に応じて前記服用時期における前記入居者各々の配薬の要否を表示する前記入居者一覧画面２１１を表示するときの前記表示制御部５１１が第２表示処理手段の一例である。
【０１８５】
これにより、配薬担当者は、前記初期画面２１０及び前記入居者一覧画面２１１を用いて、服用時期各々において服用すべき薬品が存在する入居者を容易に判断することが可能である。なお、図２３における入居者の背景模様の違いが表示態様に差があることを示している。例えば、服用すべき薬品が存在する入居者（「湯山一郎」など）はハイライト表示し、服用すべき薬品が存在しない入居者（「湯山三郎」など）はハイライト表示しないことが考えられる。また、服用すべき薬品が存在する入居者の表示色と、服用すべき薬品が存在しない入居者の表示色とが異なることも考えられる。さらに、服用すべき薬品が存在する入居者の表示サイズが大きく、服用すべき薬品が存在しない入居者の表示サイズが小さいことも考えられる。
【０１８６】
また、前記入居者一覧画面２１１では、入居者の服薬の状況に関するステータス情報として、前述した前記服用時期に服用すべき薬品の有無の他に、「未服薬」、「服薬済」、「外出」、「未服薬完了」、「自己管理確認無」、「自己管理未確認」、「自己管理確認済」、「仕事中」、「服薬不能」、「入院中」などの情報が表示されることも考えられる。即ち、前記入居者一覧画面２１１では、これらの複数のステータス情報が、異なる配色又は表示サイズなどの異なる表示態様で表示可能である。
【０１８７】
例えば、図２３に示す例では、「湯山八郎」が「服薬完了」に対応する表示態様で表示されており、「湯山九郎」などの入居者は「未服薬」に対応する表示態様で表示されている。これにより、配薬担当者が、選択した服用時期における配薬の要否を入居者ごとに容易に判断することが可能である。また、図２３に示す例では、「湯山七太」が「外出」に対応する表示態様で表示されており、配薬担当者は、「湯山七太」が外出中又は外泊中などであるために配薬が不要である旨を容易に判断することが可能である。ここで、入居者各々の外出の有無などのステータス情報は、前記制御部５１により、前記操作装置５５又は前記携帯端末６の操作部などの操作に応じて予め前記マスター記憶部５２１の前記入居者マスターの一部として記憶されることが考えられる。
【０１８８】
なお、「仕事中」は、前記入居者が仕事に出ていることを示し、「服薬不能」は、前記入居者が服用困難な健康状態であることを示し、「入院中」は、前記入居者が病院に入院中であることを示す。また、「未服薬完了」は、服用者が薬品を服薬していないがその薬品が残薬として処理されて服薬が完了状態になっていることを示す。さらに「自己管理確認無」は、服用者に所定期間の薬品を予め預けて服用者を自己管理する場合であってその服薬の有無の確認の必要がないことを示す。一方、「自己管理未確認」、「自己管理確認済」は、服用者に所定期間の薬品を予め預けて服用者を自己管理するがその服薬の有無の確認の必要があることを示し、「自己管理未確認」は、まだ服薬が確認されていないことを示し、「自己管理確認済」は、既に服薬が確認されてその旨の入力操作が行われていることを示す。
【０１８９】
図２３に示す前記入居者一覧画面２１１では、同一画面に表示されない入居者はスクロールによって表示可能であり、前記入居者一覧画面２１１における入居者の表示順は例えば五十音順又はアルファベット順などである。また、前記制御部５１は、前記入居者一覧画面２１１における「全員」の操作キーの選択に応じて、前記入居者一覧画面２１１における入居者の表示を、未服用の入居者のみが表示される状態と入居者全員が表示される状態とに交互に切換可能である。さらに、前記制御部５１は、前記入居者一覧画面２１１における「完了」の操作キーの選択に応じて前記入居者一覧画面２１１に表示中の入居者についてステータス情報を「未服薬完了」の状態に変更し、その服用時期に対応する未服用の薬品（薬包８１）を残薬情報として前記データ記憶部５２に記憶することが考えられる。また、前記制御部５１は、前記残薬情報を前記データ記憶部５２に蓄積して記憶する際、前記残薬情報の合計を算出することなく、前記薬包８１に収容された錠剤の状態をそのままの情報として記憶する。例えば、ある入居者の薬品として１錠及び０．５錠（半錠）の薬品が薬包８１に分包されており、その薬包８１が３回分残っている場合、前記データ記憶部５２では、４．５錠ではなく、１．５錠×３の情報が前記残薬情報として記憶される。
【０１９０】
ところで、前記配薬支援システム１００では、前記入居者マスター（図１５参照）及び前記入居者登録画面（図１７参照）に示したように、前記入居者を複数のグループに分類することも可能である。この場合、前記制御部５１は、前記入居者一覧画面２１１を前記グループごとに表示させることが他の実施形態として考えられる。ここに、図２４は、前記入居者各々をグループごとに表示させる場合の入居者一覧画面２１１の一例を示す図である。
【０１９１】
図２４に示す前記入居者一覧画面２１１では、各グループに対応するタブが表示されており、前記タブが選択された場合にそのタブのグループに属する入居者の一覧が表示される。なお、この場合も図２３に示した前記入居者の表示態様は、前記入居者一覧画面２１１と同様であるため説明を省略する。また、前述したように、前記配薬ボックスに付された前記コードが前記グループを示す情報を含む場合、前記制御部５１は前記携帯端末６又は前記読取端末７によって読み取られた前記コードが示す前記グループに対応する前記入居者一覧画面２１１を表示させることが考えられる。また、前記制御部５１が、前記図２４における前記入居者一覧画面２１１で選択された前記タブのグループと、前記携帯端末６又は前記読取端末７によって前記配薬ボックスから読み取られる前記コードが示すグループとが一致しているか否かを照合可能であり、照合結果が不一致である場合にその旨を報知可能な構成も考えられる。
【０１９２】
＜ステップＳ８５＞
次に、ステップＳ８５において、前記制御部５１は、服用対象となる入居者の選択を待ち受ける（Ｓ８５：Ｎｏ側）。ここで、入居者が選択されたと判断すると（Ｓ８５：Ｙｅｓ側）、処理がステップＳ８６に移行する。
【０１９３】
具体的に、前記制御部５１は、前記入居者一覧画面２１１における入居者を選択するための操作が前記操作装置５５又は前記携帯端末６の操作部によって行われた場合に入居者が選択されたと判断する。また、前記制御部５１は、前記携帯端末６又は前記読取端末７により、例えば入居者が所有する名札、リストバンド、又は前記薬包８１に付された一次元コード又は二次元コード等のコードが読み取られた場合に、そのコードが示す入居者ＩＤに対応する入居者が選択されたと判断することが考えられる。さらに、前記制御部５１が、前記入居者一覧画面２１１において選択される入居者と、前記携帯端末６又は前記読取端末７で読み取られた前記コードが示す入居者とを照合可能であり、照合結果が不一致である場合にその旨を報知可能な構成も考えられる。
【０１９４】
なお、前記ステップＳ８５において、前記制御部５１は、前記入居者一覧画面２１１におけるメニューキーが操作された場合には、前記表示装置５４又は前記携帯端末６の表示を前記配薬開始操作が行われる前のメニュー画面などに戻す。また、前記制御部５１は、戻るキーが操作された場合には、前記表示装置５４又は前記携帯端末６の表示を前記初期画面２１０に戻す。
【０１９５】
＜ステップＳ８６＞
ステップＳ８６において、前記制御部５１は、前記ステップＳ８５で選択されたと判断した入居者を確認するための入居者確認画面２１３を前記表示装置５４又は前記携帯端末６の表示部に表示させる。具体的に、前記制御部５１は、前記マスター記憶部５２１に記憶されている前記入居者マスター及び前記配薬データに基づいて入居者の情報及び服薬する薬品の情報などを前記入居者確認画面２１３に表示させる。ここに、図２５は、前記入居者確認画面２１３の一例を示す図である。
【０１９６】
図２５に示すように、前記入居者確認画面２１３では、入居者の情報として、入居者の名前、顔画像（写真）、及びコメントが表示されている。また、前記入居者確認画面２１３では、配薬データのうち用法及び薬品情報が表示されている。これにより、配薬担当者は、配薬対象となる入居者及び薬品などの適否を容易に把握することが可能である。また、前記入居者確認画面２１３には、確認キー、取消キー、未服用キーが表示される。前記確認キーは、入居者が適切であることを確認したことを入力するための操作キーである。前記取消キーは、前記入居者の選択を解除して前記表示装置５４又は前記携帯端末６の表示部の表示を前記入居者一覧画面２１１に戻すための操作キーである。前記未服用キーは、前記入居者が薬品を服用しなかった場合の未服薬理由を入力して未服薬のまま完了させるための操作キーである。なお、前記配薬確認データが前記処方データそのものの一部又は全部である場合には、実際に調剤された後の薬品の内容（例えば分包状態など）が把握できないことも考えられ、この場合、前記制御部５１は、前記入居者確認画面２１３における薬品情報の表示を省略することが考えられる。
【０１９７】
さらに、前記データ記憶部５２に薬品各々について注意すべき副作用に関する前記副作用関連情報を含む薬品マスターなどが記憶されており、前記入居者確認画面２１３では、前記入居者が服用する薬品の前記副作用関連情報が表示されることが考えられる。また、前記制御部５１が、前記ネットワークＮ１を通じて前記調剤支援装置１にアクセスし、前記調剤支援装置１に記憶されている前記薬品マスターを参照して前記薬品の前記副作用関連情報を表示することも考えられる。これにより、配薬担当者は、前記入居者への配薬時に前記副作用関連情報を参照して前記入居者の状態について注意すべき事項を容易に把握することができ、例えば前記入居者の異常などを早期発見することが可能となる。また、前記入居者確認画面２１３では、前記服用時期を識別するための情報として、前記服用時期を示す文字に代えて、又は前記服用時期と共に前記服用時期コードが表示されることも考えられる。これにより、配薬担当者は、前記薬包８１にも前記服用時期コードが印刷されている場合にその服用時期コードを参照して服用時期を容易に確認することが可能となる。さらに、前記入居者確認画面２１３では、前記入居者の服薬に関する前記ステータス情報（「未服薬」、「服薬済」、「外出」、「未服薬完了」、「自己管理確認無」、「自己管理未確認」、「自己管理確認済」、「仕事中」、「服薬不能」、又は「入院中」など）が表示されることも考えられる。なお、前記薬品マスターに薬品各々の写真などの薬品画像データが含まれている場合には、前記制御部５１は、前記薬品画像データを前記入居者確認画面２１３で表示させることも可能である。
【０１９８】
＜ステップＳ８７＞
続いて、ステップＳ８７において、前記制御部５１は確認操作を待ち受ける（Ｓ８７：
Ｎｏ側）。ここで、前記確認操作が行われたと判断すると、処理はステップＳ８７１に移行し、前記確認操作が行われていない場合には、処理がステップＳ８８に移行する。
【０１９９】
具体的に、前記制御部５１は、前記入居者確認画面２１３の前記確認キーが操作された場合に前記確認操作が行われたと判断する。このとき、前記制御部５１は、前記確認キーの操作に応じて入居者ＩＤを入力するための入力画面を表示させ、その入力画面において入力される入居者ＩＤを前記入居者確認画面２１３に表示されている入居者に対応する入居者ＩＤと照合し、照合結果が不一致である場合にその旨を報知可能な構成も考えられる。例えば、前記照合結果が不一致である場合、前記制御部５１は、前記表示装置５４又は前記携帯端末６にエラーメッセージを表示させた後、表示画面を前記入居者一覧画面２１１に戻す。
【０２００】
さらに、前記制御部５１は、前記ステップＳ８６で前記入居者確認画面２１３を表示する前に、前記確認キーの操作に応じて入居者ＩＤを入力するための入力画面を表示させ、その入力画面において入力される入居者ＩＤを前記ステップＳ８５で選択された入居者に対応する入居者ＩＤと照合することも考えられる。この場合、前記制御部５１は、照合結果が一致である場合は処理を前記ステップＳ８６に移行させて前記入居者確認画面２１３を表示させ、照合結果が不一致である場合にその旨を報知することが考えられる。なお、前記制御部５１が、前記入居者一覧画面２１１において選択される入居者と、前記携帯端末６又は前記読取端末７で読み取られた前記コードが示す入居者とを照合する構成でも同様に、照合結果が一致であることが確認された後に前記入居者確認画面２１３を表示させることが考えられる。
【０２０１】
また、前記制御部５１は、前記薬包８１に付された前記コード８１１が前記携帯端末６又は前記読取端末７によって読み取られ、そのコード８１１が示す入居者が、前記入居者確認画面２１３に表示されている入居者と一致する場合に前記確認操作が行われたと判断することも考えられる。なお、前記入居者が一致しない場合、前記制御部５１は、前記表示装置５４又は前記携帯端末６にエラーメッセージを表示させた後、表示画面を前記入居者一覧画面２１１に戻す。ところで、前記携帯端末６又は前記読取端末７による前記薬包８１の読取確認を徹底するため、前記入居者確認画面２１３における前記確認キーの表示を省略することも他の実施形態として考えられる。
【０２０２】
＜ステップＳ８７１＞
ステップＳ８７１において、前記制御部５１は、入居者への投薬開始を促すメッセージを前記表示装置５４又は前記携帯端末６に表示させる。そして、配薬担当者は、入居者に対して前記薬包８１を配薬する。なお、前記入居者確認画面２１３に、入居者の管理区分として自己管理であるか否かの情報が表示されることも考えられる。これにより、配薬担当者は、前記薬包８１の配薬時に入居者の管理区分を容易に判断することができる。
【０２０３】
＜ステップＳ８７２＞
また、ステップＳ８７２において、前記制御部５１は、前記配薬データ記憶部５２３に記憶されている前記配薬データに関連付けて、前記入居者確認画面２１３に表示された前記入居者への配薬結果として「服薬完了」を記録し、処理を前記ステップＳ８１に戻す。これにより、次に前記入居者一覧画面２１１が表示される場合、既に服用が完了した服用時期については服薬が不要であることを示す表示態様で入居者の名前が表示されることになる。ここに、前記ステップＳ８７、Ｓ８７１、Ｓ８７２において、前記確認操作を前記入居者各々の服薬完了の入力操作として受け付ける処理は、前記服薬完了入力部５１５によって実行される。なお、前記ステップＳ８７が省略されることも考えられる。即ち、前記薬包８１に付された前記コードが読み取られて入居者が選択された場合に（Ｓ８５：Ｙｅｓ側）、前記入居者確認画面２１３が表示されると共に（Ｓ８６）、前記コードによっ
て識別される前記入居者の前記薬包８１の服用時期の服用完了が自動的に記録されることも考えられる（Ｓ８７２）。
【０２０４】
＜ステップＳ８８＞
また、ステップＳ８８において、前記制御部５１は、前記未服用キーの操作を待ち受ける（Ｓ８８：Ｎｏ側）。ここで、前記未服用キーが操作されたと判断すると、処理はステップＳ８８１に移行し、前記未服用キーが操作されていない場合には、処理がステップＳ８９に移行する。なお、前記制御部５１は、前記未服用キーが操作された場合には、「未服用で良いか？」などの確認メッセージを表示させることも考えられる。
【０２０５】
＜ステップＳ８８１＞
ステップＳ８８１において、前記制御部５１は、図２６に示すように、前記入居者が薬品を服用しなかった未服薬理由を入力するための未服薬入力画面２１４を前記入居者確認画面２１３上にポップアップで表示させた後、前記未服薬入力に入力される未服薬理由を、前記配薬データ記憶部５２３に記憶されている前記配薬データに関連付けて記憶させる。例えば、前記未服薬理由の入力は、図２６に示すように、予め登録された未服薬理由の一覧が表示され、その未服薬理由を選択することによって行われる。ここで、前記未服薬理由は、プルダウン形式で表示される予め定められた複数の候補から選択によって入力可能であることも考えられる。なお、前記未服薬理由としては、例えば外出中、就寝、又は服用拒否などが考えられる。また、前記制御部５１は、前記配薬データ記憶部５２３に記憶されている前記配薬データに関連付けて、前記入居者確認画面２１３に表示された前記入居者への配薬結果として「未服薬完了」を記録する。これにより、次に前記入居者一覧画面２１１が表示される場合、既に服薬しなかった未服薬理由が入力された服用時期については服薬が不要であることを示す表示態様で入居者の名前が表示されることになる。
【０２０６】
ところで、入居者が外出（仕事、外泊、入院など）する予定が予め決まっていることも考えられる。そのため、前記配薬支援装置５では、入居者の未服薬の予定を入力可能な構成が考えられる。具体的に、図２７は、入居者の未服薬の予定を入力するための予定入力画面２１５の一例を示す図である。図２７に示すように、前記予定入力画面２１５では、前記操作装置５５又は前記携帯端末６の操作によって、任意の日程が選択され、予め登録された服用時期が選択されると共に、未服薬理由が入力される。なお、図２７には、前記予定入力画面２１５上で２０１４年３月１２日〜１４日が選択された状態が示されている。このようにして未服薬の予定が入力されている場合、前記制御部５１は、前記未服薬キーが操作されたときに（Ｓ８８：Ｙｅｓ側）、前記ステップＳ８８１における未服薬理由の入力処理を省略して、既登録である未服用の予定の情報を表示させることが考えられる。また、前記制御部５１は、未服用の予定が入力されている場合には、前記入居者一覧画面２１１において未服薬完了である旨を表示させることにより、その入居者の服薬の確認作業を省略させることも考えられる。
【０２０７】
＜ステップＳ８８２＞
そして、ステップＳ８８２において、前記制御部５１は、前記入居者確認画面２１３に表示された前記入居者が服薬しなかった残薬に関する残薬情報として、前記入居者が服薬するべきであった薬品の情報を前記入居者の情報（配薬データなど）と共に出力する。ここに、係る処理は前記残薬情報出力部５１６によって実行される。
【０２０８】
具体的に、前記ステップＳ８８２において、前記制御部５１は、前記残薬情報を前記通信インターフェース５３に出力し、前記通信インターフェース５３からインターネット等の前記ネットワークＮ２を通じて前記調剤支援装置１に送信出力することが考えられる。また、前記残薬情報を前記調剤支援装置１に伝達することができればその手法はこれに限らず、例えば前記制御部５１が、前記ＵＳＢポート５８を介して前記ＵＳＢメモリ１９に
記録出力することも考えられる。これにより、前記調剤支援装置１では、次の薬品の処方時に医師又は薬剤師などが前記残薬情報を参照することが可能となり、例えば処方する薬品の無駄を防止することができる。なお、前記残薬情報は、前記データ記憶部５２にも記憶される。これにより、前記配薬支援装置５又は前記携帯端末６においても前記残薬情報を参照することが可能になる。
【０２０９】
＜ステップＳ８９＞
なお、ステップＳ８９において、前記制御部５１は、前記取消キーの操作を待ち受ける（Ｓ８９：Ｎｏ側）。ここで、前記取消キーが操作されたと判断すると（Ｓ８９：Ｙｅｓ側）、処理は前記ステップＳ８４に移行して前記入居者一覧画面２１１が再表示される。なお、前記取消キーが操作されていない場合には（Ｓ８９：Ｎｏ側）、処理が前記ステップＳ８７に移行する。
【０２１０】
以上、説明したように、前記配薬支援システム１００では、前記配薬データが前記調剤支援装置１から前記配薬支援装置５に提供されることにより、前記配薬支援装置５において実行される前記配薬時照合処理などにおいて前記配薬データを考慮した表示及び操作を実現することが可能になる。これにより、配薬担当者による入居者への配薬作業を効率的に実行することが可能になると共に、配薬担当者の配薬ミスを抑制することができる。
【０２１１】
［その他の機能］
なお、前記配薬支援システム１００では、前記配薬データが前記配薬支援装置５に提供されることにより、下記のような他の機能も実現可能である。
【０２１２】
［副作用情報入力機能］
例えば、前記制御部５１は、前記入居者確認画面２１３に、前記入居者の健康状態又は副作用の状態などを任意に入力可能であることが考えられる。この場合、前記制御部５１は、前記入居者確認画面２１３の表示スペースを考慮して、予め定められた複数の項目をプルダウン形式で入力可能であることが考えられる。特に、前記制御部５１は、前記副作用関連情報と前記配薬データとに基づいて当該入居者が服用する薬品に対応する副作用の候補を絞り込んで表示させることも考えられる。これにより、前記老健施設Ｂ側では、前記候補から選択することにより前記副作用の入力を容易に行うことが可能である。また、前記制御部５１は、前記入居者の健康状態又は副作用の状態などの入力開始キーを前記入居者確認画面２１３に表示させ、その入力開始キーの操作に応じて前記入居者確認画面２１３から副作用情報入力画面２１６をポップアップで表示させることも考えられる。ここに、図２８は、前記副作用情報入力画面２１６の一例を示す図である。また、前記制御部５１は、前記入居者確認画面２１３とは別のメニュー画面などにおいて、副作用情報を入力する所定の操作が行われた場合に、図２９に示すように、入居者名、写真、副作用情報、及びコメントなどが表示される入居者状態画面２１７を表示させ、前記入居者状態画面２１７における副作用情報の入力操作が行われた場合に前記副作用情報入力画面２１６をポップアップで表示させることも考えられる。なお、前記副作用情報入力画面２１６は、入居者ごとに予め任意のコメント情報を入力するためにも用いられる。
【０２１３】
そして、前記制御部５１は、前記副作用情報入力画面２１６で前記入居者の健康状態又は副作用の状態などに関する副作用情報が入力された場合には、その副作用情報を前記データ記憶部５２に記憶させると共に、前記通信インターフェース５３により前記調剤支援装置１に送信することが考えられる。なお、前記副作用情報が前記ＵＳＢメモリ１９などの記録媒体に記録され、前記ＵＳＢメモリ１９が前記調剤支援装置１又は前記上位システム（不図示）などに接続されることによって前記調剤支援装置１又は前記上位システム（不図示）などに前記副作用情報が入力されることも考えられる。これらの構成によれば、例えば医師が前記入居者の診察を行う際に、前記入居者の健康状態又は副作用の状態など
の副作用情報を前記配薬支援装置５又は前記携帯端末６などで参照することが可能となる。
【０２１４】
また、前記制御部５１が、前記副作用情報と前記副作用関連情報とに基づいて発現している副作用の原因となっている可能性の高い被疑薬を特定して表示可能であることも考えられる。ここで、前記薬品マスターに薬品各々の写真などの薬品画像データが含まれている場合には、前記制御部５１は、前記被疑薬の前記薬品画像データを前記入居者確認画面２１３で表示させることも可能である。これにより、例えば複数の薬品が一包化されている前記薬包８１から前記被疑薬を抜き出す際の人為的ミスが抑制される。
【０２１５】
さらに、前記調剤支援装置１に送信されることにより、薬局側でも前記入居者の健康状態又は副作用の状態などの情報を容易に把握することができる。特に、前記調剤支援装置１では、前記制御部１１によって前記副作用情報を前記上位システム（不図示）に送信可能であることが考えられる。これにより、前記入居者の薬品を処方する医師も前記上位システム（不図示）において前記副作用情報を参照することが可能であり、病院（医師）、薬局（薬剤師）、及び老健施設（配薬担当者）が密接に連携した医療システムが実現される。
【０２１６】
さらに、前記調剤支援装置１又は前記上位システム（不図示）などで前記副作用情報を参照することが可能であるため、例えば前記入居者の次の処方データに基づく調剤時に、薬剤師が前記副作用情報に基づいて特定の薬品の調剤を省略することが可能である。また、前記調剤支援装置１において、前記制御部１１が、自動的に前記副作用情報の対象となっている薬品を調剤対象から除外して前記分包データなどを生成することも考えられる。なお、前記副作用情報として、前記副作用の発現により服用が中止された日時又は未服用の薬品量などが含まれている場合には、前記調剤支援装置１において、前記制御部１１が、前記副作用情報に基づいて未服用の薬品及び残量を特定し、次の前記分包データの生成時に前記未服用の薬品の処方量から前記残量を除いて前記分包データを生成することも考えられる。なお、前記薬局Ａ側の薬剤師が、前記調剤支援装置１で表示される前記副作用情報を参照し、副作用の原因となっている可能性のある被疑薬を医師に連絡して、新たな処方入力時に前記被疑薬を除いた処方入力を促すこと、又は入力済みの処方から前記被疑薬を除く修正（再発行）を促すことが可能である。また、未服用の薬品量を医師に連絡して、新たな処方入力時に前記未服用の薬品量を除いた処方入力を促すこと、又は入力済みの処方から前記未服用の薬品量を除く修正（再発行）を促すことも可能である。
【０２１７】
［配薬ボックス開閉機能］
また、服用時期ごとに対応する前記薬包８１が収容される収容部を備え、前記収容部ごとに開閉制御が可能な配薬ボックスが前記配薬支援装置５と通信可能に接続されて用いられることが考えられる。この場合、前記制御部５１は、前記配薬データに基づいて、服用時期が到来しないとその服用時期に対応する薬品を取り出すことができないように前記配薬ボックスにおける前記収容部各々の開閉を制御することが考えられる。これにより、前記入居者に対する配薬ミスを抑制することができる。
【０２１８】
［服薬履歴表示機能］
また、前記制御部５１は、前記配薬データ記憶部５２３に記憶される前記配薬データ及び服薬結果の履歴を表示させる服薬履歴表示機能を有することが考えられる。ここに、図３０〜図３３は、前記服薬履歴表示機能によって表示可能な履歴画面の一例を示す図である。
【０２１９】
まず、前記制御部５１は、前記表示装置５４などにメニュー画面が表示された状態で、服薬履歴を表示する所定の操作が行われた場合に、図３０に示す履歴画面２１８を表示さ
せる。前記履歴画面２１８では、入居者各々の服薬結果が１日単位で表示される。前記履歴画面２１８では、「○」のマークが服薬、「△」のマークが一部未服薬、「×」のマークが未服薬を示している。なお、前記一部未服薬とは、１日に含まれる複数の服用時期に服薬及び未服薬が含まれている状態を示す。例えば、前記一部未服薬とは、１日に朝、昼、晩の３回の服用時期が含まれている場合に、朝、昼、晩のいずれか一つ又は二つの服用時期が未服用である場合である。また、前記履歴画面２１８では、服薬有無などに関する情報を除く例えば残薬の情報又は副作用の情報などの情報が記録されている日に対応するマークの背景色又は形状が通常とは異なる背景色又は形状で表示される。
【０２２０】
ところで、服用開始日、服用終了日、及び服用時期（朝食前、昼食後など）などを含む前記配薬データ又は前記処方データが前記配薬支援装置５に入力されている場合、前記制御部５１は、前記履歴画面２１８において、患者各々に対応する服用の要否予定を表示することが考えられる。なお、前述したように、前記配薬データ又は前記処方データは、例えば前記調剤支援装置１から入力され、前記ＵＳＢメモリ１９から読み取られ、又は前記薬包８１から読み取られる。具体的に、前記制御部５１は、服用の必要がある日付に対応する欄に、服用の必要がある旨を示すために予め定められた菱形のマークなどを表示させることが考えられる。また、前記制御部５１は、前記履歴画面２１８において、入居者の外出予定又は外泊予定などのように服用の必要がない予定が先に入力されている場合には、前記履歴画面２１８において、その予定日に対応する欄に、服用の必要がない予定である旨を示すために予め定められた「外」のマークなどを表示させることが考えられる。
【０２２１】
そして、前記履歴画面２１８で入居者を選択するための操作が行われると、前記制御部５１は、前記履歴画面２１８に代えて図３１に示す履歴画面２１９を表示させる。図３１に示す前記履歴画面２１９では、選択された入居者が服薬した薬品各々の履歴が１日単位で表示される。また、前記履歴画面２１９では、最下段に「その他の情報」の表示欄が設けられており、その表示欄では、残薬の情報又は副作用の情報などの情報が記録されている日に「○」が記載される。そして、前記制御部５１は、「その他の情報」の表示欄のうち「○」が記載されている領域が選択された場合、又はその領域に前記操作装置５５又は前記携帯端末６の操作ポインターが存在する場合などに、その表示欄に対応する残薬の情報又は副作用の情報などの情報をポップアップで表示させることが考えられる。
【０２２２】
また、前記履歴画面２１９で日付が選択されると、前記制御部５１は、前記履歴画面２１９に代えて図３２に示す履歴画面２２０を表示させる。図３２に示す前記履歴画面２２０では、選択された入居者が服薬した薬品各々の履歴が服用時期単位で表示される。なお、前記履歴画面２２０でも前記履歴画面２１９と同様に「その他の情報」の表示欄が表示されている。
【０２２３】
なお、前記履歴画面２１９又は前記履歴画面２２０で、「その他の情報」の表示欄において残薬の情報が記録されている箇所が選択された場合、前記制御部５１は、前記残薬の情報を前記配薬データ記憶部５２３から読み出して図３３に示す履歴画面２２１に表示させることが考えられる。図３３に示す前記履歴画面２２１では、薬品Ｍ１の残薬状況として「２錠」が示されており、薬品Ｍ２の残薬状況として「１．５錠×３」が示されている。ここで、前記薬品Ｍ２の残薬状況として１．５錠×３の算出結果である「４．５錠」と表示することも考えられるが、前記制御部５１は、前記薬品Ｍ２の剤形を考慮して「１．５錠×３」と表示する。これにより、前記薬品Ｍ２の残薬が４錠及び０．５錠の合計５粒ではなく、１錠及び０．５錠が３組で合計６粒であることが明示され、例えば次の処方データに含まれる処方薬として使用するか否かの判断を容易に行うことが可能である。このため、前記配薬支援装置５において、前記制御部５１は、入居者の薬品各々の残薬情報における薬品の残量を調剤時の状態で管理しており、前記調剤支援装置１にも同様の前記残薬情報を送信する。
【０２２４】
［アラーム機能］
ところで、前記制御部５１は、前記配薬データ記憶部５２３に記憶される前記配薬データに基づいてアラームを自動的に設定するアラーム機能を有することが考えられる。ここに、図３４〜図３５は、前記配薬データが入力された場合に表示される服薬予定画面の一例を示す図である。
【０２２５】
ここでは、前記薬品分包装置３において前記服用者別分包処理が実行され、一の服用者が服用する薬品が服用時期ごとに一連の前記薬包８１に分包された場合に、その最初又は最後の前記薬包８１に一次元コード又は二次元コードによって検薬コードが印刷される場合について説明する。ここに、図３６は、最初の前記薬包８１に検薬コードが印刷された一連の前記薬包８１の一例を示す図である。図３６に示す例では、最初の前記薬包８１に前記検薬コードとして二次元コードが印刷されており、二つ目以後の前記薬包８１には、前記第１配薬情報を示す前記コード８１１として一次元コードが印刷されている。前記検薬コードには、前記薬包８１の検薬に必要な予め定められた情報と共に、入居者ＩＤ、入居者名称、服用開始日、服用終了日、及び服用時期コードなどの配薬データが含まれる。前記服用時期コードは、前記服用開始日から前記服用終了日の間に服用する必要がある服用時期（朝食前、朝食後、昼食前など）を示す数字又は記号などである。即ち、ここでは、入居者各々に対応する一連の前記薬包８１の最初又は最後の前記薬包８１の前記検薬コードが読み取られることによって前記入居者各々に対応する前記配薬データが順に前記配薬管理装置５に入力されるものとする。なお、一連の前記薬包８１は、そのままの状態で前記薬局Ａ側から前記老健施設Ｂ側に配送され、又は、前記薬包８１が個別に切り離された状態で前記薬局Ａ側から前記老健施設Ｂ側に配送される。
【０２２６】
そして、前記配薬管理装置５において、前記制御部５１は、前記薬包８１の前記検薬コードから前記配薬データが読み取られた場合に、前記配薬データに基づいて、前記薬包８１に対応する入居者の服薬予定を前記データ記憶部５２に登録させる。ここで、前記制御部５１は、前記配薬データが読み取られたことを確認するための服用予定画面２２２を、前記配薬データを読み取った前記読取端末７又は前記表示装置５４に表示させることが考えられる。また、前記服用予定画面２２２は、前記携帯端末６及び前記読取端末７などにおいて、服薬予定を確認するための所定のユーザー操作が行われた場合にも前記携帯端末６及び前記読取端末７などに表示される。
【０２２７】
ここに、図３４は、前記服用予定画面２２２の一例を示す図である。図３４に示されているように、前記服用予定画面２２２の上段には、最後に前記薬包８１から読み取られた前記配薬データに対応する入居者の入居者ＩＤ、入居者名称、服用開始日、服用終了日などが表示されている。また、前記服用予定画面２２２には、下段に、既に読み取られて前記データ記憶部５２に記憶されている一又は複数の入居者に対応する前記配薬データの一覧が表示されている。なお、前記服用予定画面２２２において、特定の前記配薬データが選択され、詳細キーが操作されると、前記配薬データに対応する服用予定の詳細が表示される服用詳細画面２２３が表示される。なお、前記制御部５１は、特定の前記配薬データが選択され、削除キーが操作されると、前記配薬データに対応する服薬予定を削除することも可能である。また、前記服用予定画面２２２の上段に表示される情報は、前記服用予定画面２２２の下段における前記配薬データの選択に応じてその選択された配薬データに対応する情報に切り換えられてもよい。
【０２２８】
ここに、図３５は、前記服用詳細画面２２３の一例を示す図である。図３５に示されているように、前記服用詳細画面２２３には、上段に、読み取られた前記配薬データに対応する入居者の入居者ＩＤ、入居者名称、服用開始日、服用終了日などが表示されている。また、前記服用詳細画面２２３には、下段に、１人の入居者に対応する前記配薬データに
対応する服用開始日から服用終了日までの服用予定日及び服用時期が表示される。
【０２２９】
そして、前記制御部５１は、前記配薬データが入力されると、前記配薬データに基づいて、前記配薬データに対応する前記入居者の服用時期各々について予め定められたアラーム条件に従って自動的にアラーム時刻を設定するアラーム設定処理を実行する。ここに、係る処理を実行するときの前記制御部５１がアラーム設定手段の一例である。具体的に、前記アラーム条件として、服用時期「昼食後」に対応するアラーム時刻が「１３時」、服用時期「昼食間」に対応するアラーム時刻が「１５時」、服用時期「夕食前」に対応するアラーム時刻が「１８時」であることが考えられる。また、前記アラーム条件として、服用時期「昼食後」に対応するアラーム時刻が「１２時３０分」、服用時期「昼食間」に対応するアラーム時刻が「１５時」、服用時期「夕食前」に対応するアラーム時刻が「１８時３０分」であることが考えられる。
【０２３０】
その後、前記制御部５１は、前記アラーム設定処理によって設定された前記服用時期各々の前記アラーム時刻に、当該服用時期に対応する服用完了が入力されていない場合、当該服用時期の服用を促すメッセージ等を前記携帯端末６、前記読取端末７、又は前記配薬支援装置５の表示装置５４などに表示させるアラーム報知処理を実行する。ここに、係る処理を実行するときの前記制御部５１がアラーム報知手段の一例である。これにより、前記入居者各々について前記服用時期各々における服用漏れが抑制される。なお、前記アラーム報知処理の内容は表示に限らず、例えば音声などによる報知であってもよい。また、前記制御部５１は、前記メッセージ等を表示する際、前記服用完了が入力されていない患者の一覧を表示させること、又は前記服用完了が入力されていない患者ごとに順にメッセージ等を表示させることが考えられる。
【０２３１】
そして、前記制御部５１は、前記アラーム時刻に前記アラーム報知処理を実行した後、その報知の対象であった前記服用時期の服用が行われなかったと判断した場合、前記服用時期の服用を未服用として前記データ記憶部５２に記録する。これにより、前記制御部５１は、前記服用予定画面２２２が表示される場合、前記未服用の服用時期に該当する欄に「×」のマークを表示させる。例えば、前記制御部５１は、前記アラーム報知処理の実行後、予め設定された所定時間内に前記服用時期に対応する前記コード情報８１１が読み取られなかった場合、又は前記服用時期における服用が不要である旨の操作が行われた場合に、前記服用時期の服用が行われなかったと判断する。また、前記制御部５１が、前記服用完了が入力されていない患者の一覧が表示された状態で配薬対象を順に移動させる場合には、現在の配薬対象の患者とは異なる患者に対応する前記コード情報８１１が読み取られた場合に、現在の配薬対象の患者の服用が行われなかったと判断することも考えられる。なお、前記制御部５１は、患者の一覧が表示された状態で配薬対象を順に移動させる場合、現在の配薬対象の患者に対応する前記コード情報８１１が読み取られた場合に、当該患者の服用が行われたと判断し、次の患者を配薬対象として選択する。同じく、前記制御部５１が、前記服用完了が入力されていない患者ごとに順にメッセージ等を表示させる場合には、現在表示中のメッセージ等に対応する患者とは異なる患者に対応する前記コード情報８１１が読み取られた場合に、表示中のメッセージ等に対応する患者の服用が行われなかったと判断することも考えられる。なお、前記制御部５１は、患者ごとに対応するメッセージ等を順に表示させる場合、現在表示中のメッセージ等に対応する患者の前記コード情報８１１が読み取られた場合に、当該患者の服用が行われたと判断し、次の患者に対応する前記メッセージ等を表示させる。
【符号の説明】
【０２３２】
１  ：調剤支援装置
１１：制御部
１２：データ記憶部
２  ：読取端末
３  ：薬品分包装置
３１：制御部
３２：分包プリンタ
４  ：プリンタ
５  ：配薬支援装置
５１：制御部
５２：データ記憶部
６  ：携帯端末
６１：制御部
６２：カメラ
７  ：読取端末
８１：薬包（分包容器の一例）
８２：薬袋（配送容器の一例）
１０：配薬支援システム
１００：配薬支援システム
【図１】
2019071135.tif 000003
【図２】
2019071135.tif 000004
【図３】
2019071135.tif 000005
【図４】
2019071135.tif 000006
【図５】
2019071135.tif 000007
【図６】
2019071135.tif 000008
【図７】
2019071135.tif 000009
【図８】
2019071135.tif 000010
【図９】
2019071135.tif 000011
【図１０】
2019071135.tif 000012
【図１１】
2019071135.tif 000013
【図１２】
2019071135.tif 000014
【図１３】
2019071135.tif 000015
【図１４】
2019071135.tif 000016
【図１５】
2019071135.tif 000017
【図１６】
2019071135.tif 000018
【図１７】
2019071135.tif 000019
【図１８】
2019071135.tif 000020
【図１９】
2019071135.tif 000021
【図２０】
2019071135.tif 000022
【図２１】
2019071135.tif 000023
【図２２】
2019071135.tif 000024
【図２３】
2019071135.tif 000025
【図２４】
2019071135.tif 000026
【図２５】
2019071135.tif 000027
【図２６】
2019071135.tif 000028
【図２７】
2019071135.tif 000029
【図２８】
2019071135.tif 000030
【図２９】
2019071135.tif 000031
【図３０】
2019071135.tif 000032
【図３１】
2019071135.tif 000033
【図３２】
2019071135.tif 000034
【図３３】
2019071135.tif 000035
【図３４】
2019071135.tif 000036
【図３５】
2019071135.tif 000037
【図３６】
2019071135.tif 000038